(57)【特許請求の範囲】
【請求項１】
ＴＤＤ（Ｔｉｍｅ  Ｄｉｖｉｓｉｏｎ  Ｄｕｐｌｅｘ）無線通信システムにおいてユーザー機器によって制御情報を基地局に伝送する方法であって、前記ＴＤＤ無線通信システムは、プライマリセル及びセカンダリセルを含む複数のサービングセルのアグリゲーションをサポートし、前記方法は、
ダウンリンクサブフレームにおいて前記基地局から、前記プライマリセル及び前記セカンダリセルのうちの少なくとも一つを通してＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  Ｃｈａｎｎｅｌ）のうちの少なくとも一つを受信することと、
アップリンクサブフレームにおいて前記受信されたＰＤＣＣＨ又はＰＤＳＣＨに関する制御情報を前記プライマリセル又は前記セカンダリセルを通して前記基地局に伝送することと
を含み、
前記プライマリセル及び前記セカンダリセルが、異なるアップリンク−ダウンリンク（ＵＬ−ＤＬ）構成で構成される場合に、前記ダウンリンクサブフレームと前記アップリンクサブフレームとの間のタイミング関係は、基準ＵＬ−ＤＬ構成に従って定義され、
前記基準ＵＬ−ＤＬ構成は、前記異なるＵＬ−ＤＬ構成のうち、最小数のアップリンクサブフレームを有するＵＬ−ＤＬ構成として決定され、
前記プライマリセルは、その上でＰＵＣＣＨ（Ｐｈｙｓｉｃａｌ  Ｕｐｌｉｎｋ  Ｃｏｎｔｒｏｌ  Ｃｈａｎｎｅｌ）が伝送されるセルであり、前記セカンダリセルは、前記複数のサービングセルのうち、前記プライマリセルとは異なるセルである、方法。
【請求項２】
サービングセルに対する無線フレーム内のサブフレーム構成は、以下の表
【表１】
0005895008.tif 000045
に基づいて前記サービングセルに対して構成されたＵＬ−ＤＬ構成に従って定義され、
Ｄは、ダウンリンクサブフレームを示し、Ｕは、アップリンクサブフレームを示し、Ｓは、ダウンリンク期間と、ガード期間と、アップリンク期間とを含むサブフレームを示す、請求項１に記載の方法。
【請求項３】
前記アップリンクサブフレームは、サブフレームｎに対応し、前記ダウンリンクサブフレームは、サブフレームｎ−ｋに対応し、前記タイミング関係ｋは、以下の表
【表２】
0005895008.tif 000046
に従って定義される、請求項１に記載の方法。
【請求項４】
前記プライマリセルは、前記複数のサービングセルのうち、最小セルインデックスを有する、請求項１に記載の方法。
【請求項５】
前記制御情報は、前記プライマリセル上の前記ＰＵＣＣＨを通して伝送される、請求項１に記載の方法。
【請求項６】
前記制御情報は、前記プライマリセル又は前記セカンダリセル上のＰＵＳＣＨ（Ｐｈｙｓｉｃａｌ  Ｕｐｌｉｎｋ  Ｓｈａｒｅｄ  Ｃｈａｎｎｅｌ）を通して伝送される、請求項１に記載の方法。
【請求項７】
前記制御情報は、ＡＣＫ（ａｃｋｎｏｗｌｅｄｇｅｍｅｎｔ）情報又はＮＡＣＫ（ｎｅｇａｔｉｖｅ  ａｃｋｎｏｗｌｅｄｇｅｍｅｎｔ）情報を含む、請求項１に記載の方法。
【請求項８】
前記制御情報の少なくとも一部をバンドリングすることをさらに含み、
前記バンドリングされた制御情報は、前記基地局に伝送される、請求項１に記載の方法。
【請求項９】
ＴＤＤ（Ｔｉｍｅ  Ｄｉｖｉｓｉｏｎ  Ｄｕｐｌｅｘ）無線通信システムにおいて制御情報を基地局に伝送するように構成されたユーザー機器であって、前記ＴＤＤ無線通信システムは、プライマリセル及びセカンダリセルを含む複数のサービングセルのアグリゲーションをサポートし、前記ユーザー機器は、
ダウンリンクサブフレームにおいて前記基地局から、前記プライマリセル及び前記セカンダリセルのうちの少なくとも一つを通してＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  Ｃｈａｎｎｅｌ）のうちの少なくとも一つを受信する受信モジュールと、
アップリンクサブフレームにおいて前記受信されたＰＤＣＣＨ又はＰＤＳＣＨに関する制御情報を前記プライマリセル又は前記セカンダリセルを通して前記基地局に伝送する伝送モジュールと、
プロセッサであって、前記プライマリセル及び前記セカンダリセルが、異なるアップリンク−ダウンリンク（ＵＬ−ＤＬ）構成で構成される場合に、前記プロセッサは、
前記異なるＵＬ−ＤＬ構成のうち、最小数のアップリンクサブフレームを有するＵＬ−ＤＬ構成として、基準ＵＬ−ＤＬ構成を決定することと、
前記基準ＵＬ−ＤＬ構成に従って、前記ダウンリンクサブフレームと前記アップリンクサブフレームとの間のタイミング関係を定義することと
を行う、プロセッサと
を備え、
前記プライマリセルは、その上でＰＵＣＣＨ（Ｐｈｙｓｉｃａｌ  Ｕｐｌｉｎｋ  Ｃｏｎｔｒｏｌ  Ｃｈａｎｎｅｌ）が伝送されるセルであり、前記セカンダリセルは、前記複数のサービングセルのうち、前記プライマリセルとは異なるセルである、ユーザー機器。
【請求項１０】
サービングセルに対する無線フレーム内のサブフレーム構成は、以下の表
【表３】
0005895008.tif 000047
に基づいて前記サービングセルに対して構成されたＵＬ−ＤＬ構成に従って定義され、
Ｄは、ダウンリンクサブフレームを示し、Ｕは、アップリンクサブフレームを示し、Ｓは、ダウンリンク期間と、ガード期間と、アップリンク期間とを含むサブフレームを示す、請求項９に記載のユーザー機器。
【請求項１１】
前記アップリンクサブフレームは、サブフレームｎに対応し、前記ダウンリンクサブフレームは、サブフレームｎ−ｋに対応し、前記タイミング関係ｋは、以下の表
【表４】
0005895008.tif 000048
に従って定義される、請求項９に記載のユーザー機器。
【請求項１２】
前記プライマリセルは、前記複数のサービングセルのうち、最小セルインデックスを有する、請求項９に記載のユーザー機器。
【請求項１３】
前記制御情報は、前記プライマリセル上の前記ＰＵＣＣＨを通して伝送される、請求項９に記載のユーザー機器。
【請求項１４】
前記制御情報は、前記プライマリセル又は前記セカンダリセル上のＰＵＳＣＨ（Ｐｈｙｓｉｃａｌ  Ｕｐｌｉｎｋ  Ｓｈａｒｅｄ  Ｃｈａｎｎｅｌ）を通して伝送される、請求項９に記載のユーザー機器。
【請求項１５】
前記制御情報は、ＡＣＫ（ａｃｋｎｏｗｌｅｄｇｅｍｅｎｔ）情報又はＮＡＣＫ（ｎｅｇａｔｉｖｅ  ａｃｋｎｏｗｌｅｄｇｅｍｅｎｔ）情報を含む、請求項９に記載のユーザー機器。
【請求項１６】
前記プロセッサは、前記制御情報の少なくとも一部をバンドリングし、前記バンドリングされた制御情報は、前記基地局に伝送される、請求項９に記載のユーザー機器。
【発明の詳細な説明】
【技術分野】
【０００１】
本発明は、無線通信システムに係り、特に、制御情報を伝送する方法及び装置に関する。無線通信システムは、キャリアアグリゲーション（Ｃａｒｒｉｅｒ  Ａｇｇｒｅｇａｔｉｏｎ：ＣＡ）を支援することができる。
【背景技術】
【０００２】
無線通信システムが音声やデータなどのような種々の通信サービスを提供するために広範囲に展開されている。一般に、無線通信システムとは、可用システムリソース（帯域幅、伝送パワーなど）を共有してマルチユーザーとの通信を支援し得る多重接続（ｍｕｌｔｉｐｌｅ  ａｃｃｅｓｓ）システムのことをいう。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいて制御情報を效率よく伝送する方法及びそのための装置を提供することにある。本発明の他の目的は、制御情報を效率よく伝送するためのチャネルフォーマット、信号処理、及びそのための装置を提供することにある。本発明のさらに他の目的は、制御情報を伝送するためのリソースを效率よく割り当てる方法及びそのための装置を提供することにある。
【０００４】
本発明で達成しようとする技術的課題は、以上に言及している技術的課題に制限されるものではなく、言及していない他の技術的課題は、下の記載から、本発明の属する技術の分野における通常の知識を有する者には明らかになるであろう。
【課題を解決するための手段】
【０００５】
上述した課題を解決するために、本発明の一側面では、無線通信システムで端末が制御情報を基地局に伝送する方法において、前記基地局から、前記端末に構成された少なくとも一つのサービングセルを用いてＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  ＣＨａｎｎｅｌ）のうち少なくとも一つを受信することと、前記ＰＤＣＣＨ受信又は前記ＰＤＣＣＨが指示するＰＤＳＣＨ受信に関する制御情報を前記基地局に伝送することと、を含み、前記制御情報は、前記少なくとも一つのサービングセルのプライマリセル（Ｐｒｉｍａｒｙ  Ｃｅｌｌ）及び第１セルのうち少なくとも一つの制御情報フィードバックタイミング（ｔｉｍｉｎｇ）を用いて、前記プライマリセルのＰＵＣＣＨ（Ｐｈｙｓｉｃａｌ  Ｕｐｌｉｎｋ  Ｃｏｎｔｒｏｌ  Ｃｈａｎｎｅｌ）で伝送され、前記少なくとも一つのサービングセルは、相互に異なったアップリンク及びダウンリンク構成（ＵＬ−ＤＬ構成、ＵＬ−ＤＬ  ｃｏｎｆｉｇｕｒａｔｉｏｎ）を利用してもよい。
【０００６】
一方、上述した課題を解決するための本発明の他の側面では、無線通信システムで制御情報を基地局に伝送する端末において、前記基地局から、前記端末に構成された少なくとも一つのサービングセルを用いてＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  ＣＨａｎｎｅｌ）のうち少なくとも一つを受信する受信モジュールと、前記ＰＤＣＣＨ受信又は前記ＰＤＣＣＨが指示するＰＤＳＣＨ受信に関する制御情報を前記基地局に伝送する伝送モジュールと、前記制御情報が、前記少なくとも一つのサービングセルのプライマリセル（Ｐｒｉｍａｒｙ  Ｃｅｌｌ）及び第１セルのうち少なくとも一つの制御情報フィードバックタイミング（ｔｉｍｉｎｇ）を用いて、前記プライマリセルのＰＵＣＣＨ（Ｐｈｙｓｉｃａｌ  Ｕｐｌｉｎｋ  Ｃｏｎｔｒｏｌ  Ｃｈａｎｎｅｌ）で伝送されるように制御するプロセッサと、を備え、前記少なくとも一つのサービングセルは、相互に異なったアップリンク及びダウンリンク構成（ＵＬ−ＤＬ構成、ＵＬ−ＤＬ  ｃｏｎｆｉｇｕｒａｔｉｏｎ）を利用してもよい。
【発明の効果】
【０００７】
本発明によれば、無線通信システムにおいて制御情報を効率よく伝送することができる。また、制御情報を效率よく伝送するためのチャネルフォーマット、信号処理方法を提供することができる。また、制御情報伝送のためのリソースを效率よく割り当てることができる。
【０００８】
本発明で得られる効果は、以上で言及した効果に制限されず、言及していない他の効果は、下の記載から、本発明の属する技術の分野における通常の知識を有する者には明確に理解されるであろう。
本発明は、例えば、以下を提供する。
（項目１）
無線通信システムにおいて端末が制御情報を基地局に伝送する方法であって、
上記基地局から、上記端末に構成された少なくとも一つのサービングセルを用いてＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  ＣＨａｎｎｅｌ）のうち少なくとも一つを受信することと、
上記ＰＤＣＣＨ受信又は上記ＰＤＣＣＨが指示するＰＤＳＣＨ受信に関する制御情報を上記基地局に伝送することと、
を含み、
上記制御情報は、上記少なくとも一つのサービングセルのプライマリセル（Ｐｒｉｍａｒｙ  Ｃｅｌｌ）及び第１セルのうち少なくとも一つの制御情報フィードバックタイミング（ｔｉｍｉｎｇ）を用いて、上記プライマリセルのＰＵＣＣＨ（Ｐｈｙｓｉｃａｌ  Ｕｐｌｉｎｋ  Ｃｏｎｔｒｏｌ  Ｃｈａｎｎｅｌ）で伝送され、
上記少なくとも一つのサービングセルは、相互に異なったアップリンク及びダウンリンク構成（ＵＬ−ＤＬ構成、ＵＬ−ＤＬ  ｃｏｎｆｉｇｕｒａｔｉｏｎ）を利用可能である、制御情報の伝送方法。
（項目２）
上記第１セルは、上記基地局から受信した情報を用いて決定されたり、又は上記少なくとも一つのサービングセルが利用する相互に異なったＵＬ−ＤＬ構成を用いて決定される、項目１に記載の制御情報の伝送方法。
（項目３）
上記第１セルは、上記少なくとも一つのサービングセルのうち、最も少ないアップリンクサブフレームを有するＵＬ−ＤＬ構成を利用したり、或いは最も多いサブフレームを有するＵＬ−ＤＬ構成を利用するセルである、項目１に記載の制御情報の伝送方法。
（項目４）
上記第１セルは、上記少なくとも一つのサービングセルのうち、最小インデックス（ｌｏｗｅｓｔ  Ｉｎｄｅｘ）を有するセルである、項目１に記載の制御情報の伝送方法。
（項目５）
上記少なくとも一つのサービングセルが相互に異なったＵＬ−ＤＬ構成を利用する場合に、上記制御情報は、上記第１セルの制御情報フィードバックタイミングを用いて、上記プライマリセルのＰＵＣＣＨで伝送される、項目１に記載の制御情報の伝送方法。
（項目６）
上記第１セルは複数個である、項目１に記載の制御情報の伝送方法。
（項目７）
上記少なくとも一つのサービングセルが相互に異なったＵＬ−ＤＬ構成を利用する場合に、
上記制御情報のうち、上記プライマリセルに関する制御情報は、上記プライマリセルの制御情報フィードバックタイミングを用いて伝送され、
上記制御情報のうち、セカンダリセル（Ｓｅｃｏｎｄａｒｙ  Ｃｅｌｌ、Ｓｃｅｌｌ）に関する制御情報は、上記第１セルの制御情報フィードバックタイミングを用いて伝送される、項目１に記載の制御情報の伝送方法。
（項目８）
上記第１セルと上記セカンダリセルとが同一のＵＬ−ＤＬ構成を利用する、項目７に記載の制御情報の伝送方法。
（項目９）
上記制御情報は、ＡＣＫ（ａｃｋｎｏｗｌｅｄｇｅｍｅｎｔ）情報又はＮＡＣＫ（ｎｅｇａｔｉｖｅ  ａｃｋｎｏｗｌｅｄｇｅｍｅｎｔ）情報である、項目１に記載の制御情報の伝送方法。
（項目１０）
上記制御情報の少なくとも一部をバンドリング（ｂｕｎｄｌｉｎｇ）することをさらに含み、
上記バンドリングされた制御情報は上記基地局に伝送される、項目１に記載の制御情報の伝送方法。
（項目１１）
無線通信システムにおいて制御情報を基地局に伝送する端末であって、
上記基地局から、上記端末に構成された少なくとも一つのサービングセルを用いてＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  ＣＨａｎｎｅｌ）のうち少なくとも一つを受信する受信モジュールと、
上記ＰＤＣＣＨ受信又は上記ＰＤＣＣＨが指示するＰＤＳＣＨ受信に関する制御情報を上記基地局に伝送する伝送モジュールと、
上記制御情報が、上記少なくとも一つのサービングセルのプライマリセル（Ｐｒｉｍａｒｙ  Ｃｅｌｌ）及び第１セルのうち少なくとも一つの制御情報フィードバックタイミング（ｔｉｍｉｎｇ）を用いて、上記プライマリセルのＰＵＣＣＨ（Ｐｈｙｓｉｃａｌ  Ｕｐｌｉｎｋ  Ｃｏｎｔｒｏｌ  Ｃｈａｎｎｅｌ）で伝送されるように制御するプロセッサと、
を備え、
上記少なくとも一つのサービングセルは、相互に異なったアップリンク及びダウンリンク構成（ＵＬ−ＤＬ構成、ＵＬ−ＤＬ  ｃｏｎｆｉｇｕｒａｔｉｏｎ）を利用可能である、端末。
（項目１２）
上記第１セルは、上記基地局から受信した情報を用いて決定されたり、又は上記少なくとも一つのサービングセルが利用する相互に異なったＵＬ−ＤＬ構成を用いて決定される、項目１１に記載の端末。
（項目１３）
上記第１セルは、上記少なくとも一つのサービングセルのうち、最も少ないアップリンクサブフレームを有するＵＬ−ＤＬ構成を利用したり、又は最も多いサブフレームを有するＵＬ−ＤＬ構成を利用するセルである、項目１１に記載の端末。
（項目１４）
上記第１セルは、上記少なくとも一つのサービングセルのうち、最小インデックス（ｌｏｗｅｓｔ  Ｉｎｄｅｘ）を有するセルである、項目１１に記載の端末。
（項目１５）
上記少なくとも一つのサービングセルが相互に異なったＵＬ−ＤＬ構成を利用する場合に、
上記制御情報は、上記第１セルの制御情報フィードバックタイミングを用いて、上記プライマリセルのＰＵＣＣＨで伝送される、項目１１に記載の端末。
（項目１６）
上記第１セルは複数個である、項目１１に記載の端末。
（項目１７）
上記少なくとも一つのサービングセルが相互に異なったＵＬ−ＤＬ構成を利用する場合に、
上記プロセッサは、上記制御情報のうち、上記プライマリセルに関する制御情報は、上記プライマリセルの制御情報フィードバックタイミングを用いて伝送され、上記制御情報のうち、セカンダリセル（Ｓｅｃｏｎｄａｒｙ  Ｃｅｌｌ、Ｓｃｅｌｌ）に関する制御情報は、上記第１セルの制御情報フィードバックタイミングを用いて伝送されるように制御する、項目１１に記載の端末。
（項目１８）
上記第１セルと上記セカンダリセルとが同一のＵＬ−ＤＬ構成を利用する、項目１７に記載の端末。
（項目１９）
上記制御情報は、ＡＣＫ（ａｃｋｎｏｗｌｅｄｇｍｅｎｔ）情報又はＮＡＣＫ（ｎｅｇａｔｉｖｅ  ａｃｋｎｏｗｌｅｄｇｅｍｅｎｔ）情報である、項目１１に記載の端末。
（項目２０）
上記プロセッサは、上記制御情報の少なくとも一部をバンドリング（ｂｕｎｄｌｉｎｇ）し、該バンドリングされた制御情報は上記基地局に伝送される、項目１１に記載の端末。
【図面の簡単な説明】
【０００９】
本発明に関する理解を助けるために詳細な説明の一部として含まれる添付図面は、本発明に係る実施例を提供し、詳細な説明と共に本発明の技術的思想を説明する。
【図１】本発明が適用される端末及び基地局の構成を示す図である。
【図２】端末がアップリンク信号を伝送するための信号処理手順を示す図である。
【図３】基地局がダウンリンク信号を伝送するための信号処理手順を示す図である。
【図４】本発明が適用されるＳＣ−ＦＤＭＡ方式及びＯＦＤＭＡ方式を示す図である。
【図５】単一搬送波特性を満たしながら、入力シンボルを周波数ドメイン上で副搬送波にマッピングする例を示す図である。
【図６】クラスタ（ｃｌｕｓｔｅｒｅｄ）ＳＣ−ＦＤＭＡにおいてＤＦＴプロセス出力サンプルが単一搬送波にマッピングされる信号処理手順を示す図である。
【図７】クラスタＳＣ−ＦＤＭＡにおいてＤＦＴプロセス出力サンプルが多重搬送波（ｍｕｌｔｉ−ｃａｒｒｉｅｒ）にマッピングされる信号処理手順を示す図である。
【図８】クラスタＳＣ−ＦＤＭＡにおいてＤＦＴプロセス出力サンプルが多重搬送波（ｍｕｌｔｉ−ｃａｒｒｉｅｒ）にマッピングされる信号処理手順を示す図である。
【図９】セグメント（ｓｅｇｍｅｎｔｅｄ）ＳＣ−ＦＤＭＡの信号処理手順を示す図である。
【図１０】無線通信システムで用いられる無線フレーム構造の例を示す図である。
【図１１】アップリンクサブフレーム構造を示す図である。
【図１２】ＡＣＫ／ＮＡＣＫ伝送のためのＰＵＣＣＨを決定する構造を示す図である。
【図１３】ＡＣＫ／ＮＡＣＫ伝送のためのＰＵＣＣＨフォーマット１ａ及び１ｂのスロットレベル構造を示す図である。
【図１４】ＡＣＫ／ＮＡＣＫ伝送のためのＰＵＣＣＨフォーマット１ａ及び１ｂのスロットレベル構造を示す図である。
【図１５】標準ＣＰ（Ｃｙｃｌｉｃ  Ｐｒｅｆｉｘ）の場合におけるＰＵＣＣＨフォーマット２／２ａ／２ｂを示す図である。
【図１６】拡張ＣＰの場合におけるＰＵＣＣＨフォーマット２／２ａ／２ｂを示す図である。
【図１７】ＰＵＣＣＨフォーマット１ａ及び１ｂに対するＡＣＫ／ＮＡＣＫチャネル化（ｃｈａｎｎｅｌｉｚａｔｉｏｎ）を示す図である。
【図１８】同一のＰＲＢ（Ｐｈｙｓｉｃａｌ  Ｒｅｓｏｕｒｃｅ  Ｂｌｏｃｋ）内でＰＵＣＣＨフォーマット１／１ａ／１ｂとフォーマット２／２ａ／２ｂとの混合された構造に対するチャネル化を示す図である。
【図１９】物理リソースブロック（Ｐｈｙｓｉｃａｌ  Ｒｅｓｏｕｒｃｅ  Ｂｌｏｃｋ：ＰＲＢ）の割当を示す図である。
【図２０】基地局でダウンリンクコンポーネント搬送波（ＤＬ  ＣＣ）を管理する概念を示す図である。
【図２１】端末でアップリンクコンポーネント搬送波（ＵＬ  ＣＣ）を管理する概念を示す図である。
【図２２】基地局で一つのＭＡＣが多重搬送波を管理する概念を示す図である。
【図２３】端末で一つのＭＡＣが多重搬送波を管理する概念を示す図である。
【図２４】基地局で複数のＭＡＣが多重搬送波を管理する概念を示す図である。
【図２５】端末で複数のＭＡＣが多重搬送波を管理する概念を示す図である。
【図２６】基地局で複数のＭＡＣが多重搬送波を管理する他の概念を示す図である。
【図２７】端末で複数のＭＡＣが多重搬送波を管理する他の概念を示す図である。
【図２８】５個のダウンリンクコンポーネント搬送波（ＤＬ  ＣＣ）が１個のアップリンクコンポーネント搬送波（ＵＬ  ＣＣ）とリンクされた非対称のキャリアアグリゲーションを示す図である。
【図２９】本発明が適用されるＰＵＣＣＨフォーマット３の構造及びそのための信号処理手順を示す図である。
【図３０】本発明が適用されるＰＵＣＣＨフォーマット３の構造及びそのための信号処理手順を示す図である。
【図３１】本発明が適用されるＰＵＣＣＨフォーマット３の構造及びそのための信号処理手順を示す図である。
【図３２】本発明が適用されるＰＵＣＣＨフォーマット３の構造及びそのための信号処理手順を示す図である。
【図３３】本発明が適用されるチャネル選択を用いたＡＣＫ／ＮＡＣＫ情報の伝送構造を示す図である。
【図３４】本発明が適用される強化されたチャネル選択を用いたＡＣＫ／ＮＡＣＫ情報の伝送構造を示す図である。
【図３５】本発明と関連して、ＴＤＤにおけるＡＣＫ／ＮＡＣＫフィードバックの一例を示す図である。
【図３６】本発明と関連して、相互に異なったアップリンク及びダウンリンク構成（ＵＬ−ＤＬ構成）を用いる時に発生する問題点を説明するための図である。
【図３７】本発明と関連して、相互に異なったアップリンク及びダウンリンク構成（ＵＬ−ＤＬ構成）を有するセルの一例を示す図である。
【図３８】本発明と関連して、相互に異なったアップリンク及びダウンリンク構成（ＵＬ−ＤＬ構成）を用いる複数のサービングセルの一例を示す図である。
【図３９】本発明と関連して、ダウンリンクサブフレームが多いセルを基準に制御情報を伝送する一例を示す図である。
【図４０】本発明と関連して、バンドリングを使用し、且つ既存のプライマリセルを基準に制御情報を伝送する一例を示す図である。
【図４１】フィードバックに含まれない情報が発生する場合に、時間領域において最も近くに続くＵＣＩ情報を伝送するサブフレームで制御情報を伝送する一例を示す図である。
【図４２】本発明と関連して、プライマリセルを基準にバンドリングウィンドウを全てのサービングセルに対して設定し、制御情報を伝送する一例を示す図である。
【発明を実施するための形態】
【００１０】
以下、本発明の好適な実施形態を、添付の図面を参照して詳細に説明する。添付の図面と共に以下に開示される詳細な説明は、本発明の例示的な実施形態を説明するためのもので、本発明が実施され得る唯一の実施形態を示すためのものではない。以下の詳細な説明は、本発明の完全な理解を提供するために具体的な細部事項を含む。しかし、このような具体的な細部事項なしにも本発明を実施できるということが、当該技術の分野における通常の技術者には理解される。
【００１１】
また、以下に説明される技法（ｔｅｃｈｎｉｑｕｅ）、装置、及びシステムは、様々な無線多重接続システムに適用されてもよい。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｔｅｃｈｎｏｌｏｇｙ）で実現されている。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）などのような無線技術で実現されている。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ−ＵＴＲＡ）などのような無線技術で実現されている。ＵＴＲＡＮは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部であり、３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）は、Ｅ−ＵＴＲＡＮを用いるＥ−ＵＭＴＳの一部である。３ＧＰＰ  ＬＴＥは、ダウンリンクではＯＦＤＭＡを採択し、アップリンクではＳＣ−ＦＤＭＡを採択している。ＬＴＥ−Ａ（ＬＴＥ−ａｄｖａｎｃｅｄ）は、３ＧＰＰ  ＬＴＥの進展した形態である。説明の便宜のために、以下では、本発明が３ＧＰＰ  ＬＴＥ／ＬＴＥ−Ａに適用される場合を挙げて説明する。しかし、本発明の技術的特徴がこれに制限されるものではない。例えば、以下の詳細な説明が、３ＧＰＰ  ＬＴＥ／ＬＴＥ−Ａシステムに対応する無線通信システムに基づいて説明されても、３ＧＰＰ  ＬＴＥ／ＬＴＥ−Ａ特有の事項以外は、他の任意の無線通信システムにも同様の適用が可能である。
【００１２】
場合によっては、本発明の概念が曖昧になることを避けるために、公知の構造及び装置が省略されたり、各構造及び装置の核心機能を中心にしたブロック図の形式で図示されたりすることもある。また、本明細書全体を通じて同一の構成要素には同一の図面符号を付して説明する。
【００１３】
本発明において、端末は、固定されていても、移動性を有してもよいもので、基地局と通信して各種のデータ及び制御情報を送受信する機器を総称する。端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ばれることもある。
【００１４】
また、基地局は、一般に、端末又は他の基地局と通信する固定局（ｆｉｘｅｄ  ｓｔａｔｉｏｎ）を意味し、端末及び他の基地局と通信して各種のデータ及び制御情報を交換する。基地局は、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）などの他の用語と呼ばれることもある。
【００１５】
本発明において、特定信号がフレーム／サブフレーム／スロット／搬送波／副搬送波に割り当てられるということは、特定信号が該当のフレーム／サブフレーム／スロットの期間／又はタイミングに、該当の搬送波／副搬送波を介して伝送されるということを意味する。
【００１６】
本発明でいうランク或いは伝送ランクは、１  ＯＦＤＭシンボル或いは１リソース要素（Ｒｅｓｏｕｒｃｅ  Ｅｌｅｍｅｎｔ）上に多重化されたり割り当てられたレイヤーの個数を意味する。
【００１７】
本発明においてＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／アップリンク伝送に対するＡＣＫ／ＮＡＣＫ（ＡＣＫｎｏｗｌｅｇｅｍｅｎｔ／Ｎｅｇａｔｉｖｅ  ＡＣＫ）／ダウンリンクデータを運ぶリソース要素の集合を意味する。
【００１８】
また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／アップリンクデータ／ランダムアクセス信号を運ぶリソース要素の集合を意味する。
【００１９】
特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれらに属したリソース要素（Ｒｅｓｏｕｒｃｅ  Ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。
【００２０】
そのため、端末がＰＵＣＣＨ／ＰＵＳＣＨ／ＰＲＡＣＨを伝送するという表現は、ＰＵＳＣＨ／ＰＵＣＣＨ／ＰＲＡＣＨ上でアップリンク制御情報／アップリンクデータ／ランダムアクセス信号を伝送するということと同じ意味で使われてもよい。また、基地局がＰＤＣＣＨ／ＰＣＦＩＣＨ／ＰＨＩＣＨ／ＰＤＳＣＨを伝送するという表現は、ＰＤＣＣＨ／ＰＣＦＩＣＨ／ＰＨＩＣＨ／ＰＤＳＣＨ上でダウンリンク制御情報／ダウンリンクデータなどを伝送するということと同じ意味で使われてもよい。
【００２１】
一方、ＡＣＫ／ＮＡＣＫ情報を特定のコンステレーションポイント（ｃｏｎｓｔｅｌｌａｔｉｏｎ  ｐｏｉｎｔ）にマッピングするということは、ＡＣＫ／ＮＡＣＫ情報を特定の複素変調シンボルにマッピングするということと同じ意味で使われる。また、ＡＣＫ／ＮＡＣＫ情報を特定複素変調シンボルにマッピングするということは、ＡＣＫ／ＮＡＣＫ情報を特定の複素変調シンボルに変調するということと同じ意味で使われる。
【００２２】
図１は、本発明が提供される、端末及び基地局の構成を示す図である。端末は、アップリンクでは送信装置として動作し、ダウンリンクでは受信装置として動作する。一方、基地局は、アップリンクでは受信装置として動作し、ダウンリンクでは送信装置で動作する。
【００２３】
図１を参照すると、端末及び基地局は、情報、データ、信号、又はメッセージなどを受信できるアンテナ５００ａ，５００ｂ、アンテナを制御して情報、データ、信号、又はメッセージなどを伝送する送信器１００ａ，１００ｂ、アンテナを制御して情報、データ、信号、又はメッセージなどを受信する受信器３００ａ，３００ｂ、無線通信システム内の各種の情報を一時的又は永久的に保存するメモリー２００ａ，２００ｂを備える。また、端末及び基地局は、送信器、受信器、メモリーなどの構成要素が連動し、これらの各構成要素を制御するように構成されたプロセッサ４００ａ，４００ｂをそれぞれ備えている。
【００２４】
端末内の送信器１００ａ、受信器３００ａ、メモリー２００ａ、プロセッサ４００ａはそれぞれ、別個のチップ（ｃｈｉｐ）により独立した構成要素にしてもよく、２つ以上が一つのチップ（ｃｈｉｐ）により実現されてもよい。同様に、基地局内の送信器１００ｂ、受信器３００ｂ、メモリー２００ｂ、プロセッサ４００ｂもそれぞれ、別個のチップにより独立した構成要素にしてもよく、２つ以上が一つのチップにより実現されてもよい。送信器と受信器とを統合して端末又は基地局内で単一の送受信器（ｔｒａｎｓｃｅｉｖｅｒ）にしてもよい。
【００２５】
アンテナ５００ａ，５００ｂは、送信器１００ａ，１００ｂで生成された信号を外部に伝送したり、外部から信号を受信して受信器３００ａ，３００ｂに伝達する機能を果たす。アンテナ５００ａ，５００ｂはアンテナポートと呼ばれることもある。アンテナポートは一つの物理アンテナに相当してもよく、複数個の物理アンテナの組み合わせにより構成されてもよい。複数のアンテナを用いてデータなどを送受信する多重入出力（Ｍｕｌｔｉ−Ｉｎｐｕｔ  Ｍｕｌｔｉ−Ｏｕｔｐｕｔ、ＭＩＭＯ）機能を支援する送受信器は、２個以上のアンテナに接続可能である。
【００２６】
プロセッサ４００ａ，４００ｂは、一般に、端末又は基地局内の各種の構成要素又はモジュールの動作全般を制御する。特に、プロセッサ４００ａ，４００ｂは、本発明を実行するための各種の制御機能、サービス特性及び伝播環境によるＭＡＣ（Ｍｅｄｉｕｍ  Ａｃｃｅｓｓ  Ｃｏｎｔｒｏｌ）フレーム可変制御機能、遊休モード動作を制御するための電力節約モード機能、ハンドオーバー（Ｈａｎｄｏｖｅｒ）機能、認証及び暗号化機能などを実行することができる。プロセッサ４００ａ，４００ｂは、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、又はマイクロコンピュータ（ｍｉｃｒｏｃｏｍｐｕｔｅｒ）などと呼ばれることもある。一方、プロセッサ４００ａ，４００ｂは、ハードウェア（ｈａｒｄｗａｒｅ）、ファームウェア（ｆｉｒｍｗａｒｅ）、ソフトウェア、又はこれらの結合により実現することができる。
【００２７】
ハードウェアを用いて本発明を実現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、又はＦＰＧＡｓ（ｆｉｅｌｄ  ｐｒｏｇｒａｍｍａｂｌｅ  ｇａｔｅ  ａｒｒａｙｓ）などをプロセッサ４００ａ，４００ｂに備えることができる。
【００２８】
また、ファームウェアやソフトウェアを用いて本発明を実現する場合には、本発明の機能又は動作を行うモジュール、手順又は関数などを含むようにファームウェアやソフトウェアを構成することができ、本発明を実行し得るように構成されたファームウェア又はソフトウェアは、プロセッサ４００ａ，４００ｂ内に備えられてもよく、メモリー２００ａ，２００ｂに保存されてプロセッサ４００ａ，４００ｂにより駆動されてもよい。
【００２９】
送信器１００ａ，１００ｂは、プロセッサ４００ａ，４００ｂ又は該プロセッサに接続したスケジューラからスケジューリングされて外部に伝送される信号及び／又はデータに所定の符号化（ｃｏｄｉｎｇ）及び変調（ｍｏｄｕｌａｔｉｏｎ）を行ってからアンテナ５００ａ，５００ｂに伝達する。端末及び基地局の送信器１００ａ，１００ｂ及び受信器３００ａ，３００ｂは、送信信号及び受信信号を処理する過程によって異なる構成とすることができる。
【００３０】
メモリー２００ａ，２００ｂは、プロセッサ４００ａ，４００ｂの処理及び制御のためのプログラムを保存することができ、入出力される情報を臨時保存することができる。また、メモリー２００ａ，２００ｂはバッファーとして用いられてもよい。メモリーは、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）又はカードタイプのメモリー（例えば、ＳＤ又はＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクなどを用いて実現することができる。
【００３１】
図２は、端末がアップリンク信号を伝送するための信号処理手順を示す図である。図２を参照すると、端末内の送信器１００ａは、スクランブルモジュール（ｓｃｒａｍｂｌｉｎｇ  ｍｏｄｕｌｅ）２０１、変調マッパー（ｍｏｄｕｌａｔｉｏｎ  ｍａｐｐｅｒ）２０２、プリコーダ（ｐｒｅｃｏｄｅｒ）２０３、リソース要素マッパー（ｒｅｓｏｕｒｃｅ  ｅｌｅｍｅｎｔ  ｍａｐｐｅｒ）２０４、及びＳＣ−ＦＤＭＡ信号生成器２０５を備えている。
【００３２】
アップリンク信号を伝送するために、スクランブルモジュール２０１は、スクランブル信号を用いて伝送信号をスクランブルすることができる。スクランブルされた信号は、変調マッパー２０２に入力されて、伝送信号の種類又はチャネル状態に基づいてＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）又は１６  ＱＡＭ／６４  ＱＡＭ（Ｑｕａｄｒａｔｕｒｅ  Ａｍｐｌｉｔｕｄｅ  Ｍｏｄｕｌａｔｉｏｎ）変調方式によって複素変調シンボルに変調される。変調された複素変調シンボルは、プリコーダ２０３で処理された後、リソース要素マッパー２０４に入力される。リソース要素マッパー２０４は、該複素変調シンボルを時間−周波数リソース要素にマッピングすることができる。このように処理された信号は、ＳＣ−ＦＤＭＡ信号生成器２０５を経てアンテナポートから基地局に伝送されうる。
【００３３】
図３は、基地局がダウンリンク信号を伝送するための信号処理手順を示す図である。図３を参照すると、基地局内の送信器１００ｂは、スクランブルモジュール３０１、変調マッパー３０２、レイヤーマッパー３０３、プリコーダ３０４、リソース要素マッパー３０５、及びＯＦＤＭＡ信号生成器３０６を備えている。
【００３４】
ダウンリンクで信号又は一つ以上のコードワードを伝送するために、図２と同様に、スクランブルモジュール３０１及び変調マッパー３０２が信号又はコードワードを複素変調シンボルに変調することができる。レイヤーマッパー３０３は、複素変調シンボルを複数のレイヤーにマッピングし、プリコーダ３０４は、各レイヤーをプリコーディング行列とかけて各伝送アンテナに割り当てることができる。このように処理された各アンテナ別伝送信号は、リソース要素マッパー３０５により時間−周波数リソース要素にマッピングされ、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）信号生成器３０６を経て各アンテナポートから伝送されうる。
【００３５】
無線通信システムにおいて端末がアップリンクで信号を伝送する場合は、基地局がダウンリンクで信号を伝送する場合に比べて、ＰＡＰＲ（Ｐｅａｋ−ｔｏ−Ａｖｅｒａｇｅ  Ｒａｔｉｏ）が問題となる。そのため、図２及び図３で説明したように、アップリンク信号伝送には、ダウンリンク信号伝送に用いられるＯＦＤＭＡ方式ではなく、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が用いられている。
【００３６】
図４は、ＳＣ−ＦＤＭＡ方式とＯＦＤＭＡ方式を説明するための図である。３ＧＰＰシステムは、ダウンリンクではＯＦＤＭＡを採用し、アップリンクではＳＣ−ＦＤＭＡを採用する
図４を参照すると、アップリンク信号伝送のための端末及びダウンリンク信号伝送のための基地局は、直列−並列変換器（Ｓｅｒｉａｌ−ｔｏ−Ｐａｒａｌｌｅｌ  Ｃｏｎｖｅｒｔｅｒ）４０１、副搬送波マッパー（ｓｕｂｃａｒｒｉｅｒ  ｍａｐｐｅｒ）４０３、Ｍ−ポイントＩＤＦＴモジュール４０４、及び巡回プレフィックス（Ｃｙｃｌｉｃ  Ｐｒｅｆｉｘ、ＣＰ  ）付加モジュール４０６を備えている点では同一である。ただし、ＳＣ−ＦＤＭＡ方式で信号を伝送するための端末は、Ｎ−ポイントＤＦＴモジュール４０２をさらに備える。Ｎ−ポイントＤＦＴモジュール４０２は、Ｍ−ポイントＩＤＦＴモジュール４０４のＩＤＦＴ処理影響を一定部分打ち消すことによって、伝送信号が単一搬送波特性（ｓｉｎｇｌｅ  ｃａｒｒｉｅｒ  ｐｒｏｐｅｒｔｙ）を持つようにする。
【００３７】
ＳＣ−ＦＤＭＡは単一搬送波性質を満たさなければならない。図５は、単一搬送波特性を満たしながら、入力シンボルを周波数ドメイン上で副搬送波にマッピングする例を示す図である。図５（ａ）及び図５（ｂ）のいずれかによって、ＤＦＴされたシンボルが副搬送波に割り当てられることで、単一搬送波性質を満たす伝送信号を得ることができる。図５（ａ）は、局地的（ｌｏｃａｌｉｚｅｄ）マッピング方法を、図５（ｂ）は分散的（ｄｉｓｔｒｉｂｕｔｅｄ）マッピング方法を示している。
【００３８】
一方、クラスタ（ｃｌｕｓｔｅｒｅｄ）ＤＦＴ−ｓ−ＯＦＤＭという方式が、送信器１００ａ，１００ｂに採択されてもよい。クラスタＤＦＴ−ｓ−ＯＦＤＭは、既存のＳＣ−ＦＤＭＡ方式の変形であって、プリコーダを経た信号を、いくつかのサブブロックに分けた後、副搬送波に不連続的にマッピングする方法である。図６乃至図８は、クラスタＤＦＴ−ｓ−ＯＦＤＭにより入力シンボルが単一搬送波にマッピングされる例を示す図である。
【００３９】
図６は、クラスタＳＣ−ＦＤＭＡにおいてＤＦＴプロセス出力サンプルが単一搬送波にマッピングされる信号処理手順を示す図である。図７及び図８は、クラスタＳＣ−ＦＤＭＡにおいてＤＦＴプロセス出力サンプルが多重搬送波（ｍｕｌｔｉ−ｃａｒｒｉｅｒ）にマッピングされる信号処理手順を示す図である。図６は、イントラ搬送波（ｉｎｔｒａ−ｃａｒｒｉｅｒ）クラスタＳＣ−ＦＤＭＡを適用する例に相当し、図７及び図８は、インター搬送波（ｉｎｔｅｒ−ｃａｒｒｉｅｒ）クラスタＳＣ−ＦＤＭＡを適用する例に相当する。図７は、周波数ドメインで連続的（ｃｏｎｔｉｇｕｏｕｓ）にコンポーネント搬送波（ｃｏｍｐｏｎｅｎｔ  ｃａｒｒｉｅｒ）が割り当てられた状況において隣接したコンポーネント搬送波間の副搬送波間隔（ｓｐａｃｉｎｇ）が整列された場合に、単一ＩＦＦＴブロックを用いて信号を生成する例を示す図である。図８は、周波数ドメインで不連続的（ｎｏｎ−ｃｏｎｔｉｇｕｏｕｓ）にコンポーネント搬送波が割り当てられた状況において複数のＩＦＦＴブロックを用いて信号を生成する例を示す図である。
【００４０】
図９は、セグメント（ｓｅｇｍｅｎｔｅｄ）ＳＣ−ＦＤＭＡの信号処理手順を示す図である。
【００４１】
セグメントＳＣ−ＦＤＭＡは、任意個数のＤＦＴと同じ個数のＩＦＦＴが適用されてＤＦＴとＩＦＦＴとの関係構成が一対一の関係を有すことから、単純に既存ＳＣ−ＦＤＭＡのＤＦＴ拡散とＩＦＦＴの周波数副搬送波マッピング構成を拡張したもので、ＮｘＳＣ−ＦＤＭＡ又はＮｘＤＦＴ−ｓ−ＯＦＤＭＡとも表現される。本明細書では、これらを包括してセグメントＳＣ−ＦＤＭＡと呼ぶ。図９を参照すると、セグメントＳＣ−ＦＤＭＡは、単一搬送波特性条件を緩和するために、全体時間ドメイン変調シンボルを、Ｎ（Ｎは、１よりも大きい整数）個のグループにし、グループ単位にＤＦＴプロセスを行う。
【００４２】
図１０には、無線通信システムで用いられる無線フレーム構造の例を示す。特に、図１０（ａ）は、３ＧＰＰ  ＬＴＥ／ＬＴＥ−Ａシステムのフレーム構造タイプ１（ＦＳ−１）による無線フレームを例示しており、図１０（ｂ）は、３ＧＰＰ  ＬＴＥ／ＬＴＥ−Ａシステムのフレーム構造タイプ２（ＦＳ−２）による無線フレームを例示している。図１０（ａ）のフレーム構造は、ＦＤＤ（Ｆｒｅｑｕｅｎｃｙ  Ｄｉｖｉｓｉｏｎ  Ｄｕｐｌｅｘ）モード、及び半（ｈａｌｆ）ＦＤＤ（Ｈ−ＦＤＤ）モードで適用可能である。図１０（ｂ）のフレーム構造は、ＴＤＤ（Ｔｉｍｅ  Ｄｉｖｉｓｉｏｎ  Ｄｕｐｌｅｘ）モードで適用可能である。
【００４３】
図１０を参照すると、３ＧＰＰ  ＬＴＥ／ＬＴＥ−Ａで用いられる無線フレームは、１０ｍｓ（３０７２００Ｔｓ）の長さを有し、１０個の均等なサイズのサブフレームで構成される。１無線フレーム内の１０個のサブフレームにはそれぞれ番号を与えることができる。ここで、Ｔｓは、サンプリング時間を表し、Ｔｓ＝１／（２０４８×１５ｋＨｚ）で表示される。それぞれのサブフレームは１ｍｓの長さを有し、２個のスロットで構成される。１無線フレーム内で２０個のスロットは０から１９まで順にナンバリングされるとよい。各スロットは０．５ｍｓの長さを有する。１サブフレームを伝送するための時間は伝送時間間隔（ＴＴＩ：ｔｒａｎｓｍｉｓｓｉｏｎ  ｔｉｍｅ  ｉｎｔｅｒｖａｌ）で定義される。時間リソースは、無線フレーム番号（或いは無線フレームインデックスともいう。）、サブフレーム番号（或いは、サブフレームインデックスともいう。）、スロット番号（或いは、スロットインデックスともいう。）などにより区別可能である。
【００４４】
無線フレームはデュプレックス（ｄｕｐｌｅｘ）モードによって異なる構成とすることができる。例えば、ＦＤＤモードで、ダウンリンク伝送及びアップリンク伝送は周波数により区別されるので、無線フレームは、ダウンリンクサブフレーム又はアップリンクサブフレームのいずれか一方のみを含む。
【００４５】
一方、ＴＤＤモードでは、ダウンリンク伝送及びアップリンク伝送が時間によって区別されるため、フレーム内のサブフレームは、ダウンリンクサブフレームとアップリンクサブフレームとに区別される。
【００４６】
図１１は、本発明が適用されるアップリンクサブフレーム構造を示す図である。図１１を参照すると、アップリンクサブフレームは、周波数ドメインで制御領域とデータ領域とに区別可能である。少なくとも一つのＰＵＣＣＨ（ｐｈｙｓｉｃａｌ  ｕｐｌｉｎｋ  ｃｏｎｔｒｏｌ  ｃｈａｎｎｅｌ）がアップリンク制御情報（ｕｐｌｉｎｋ  ｃｏｎｔｒｏｌ  ｉｎｆｏｒｍａｔｉｏｎ：ＵＣＩ）を運ぶべく制御領域に割り当てられるとよい。また、少なくとも一つのＰＵＳＣＨ（ｐｈｙｓｉｃａｌ  ｕｐｌｉｎｋ  ｓｈａｒｅｄ  ｃｈａｎｎｅｌ）がユーザーデータを運ぶべくデータ領域に割り当てられるとよい。ただし、ＬＴＥリリース８或いはリリース９において端末がＳＣ−ＦＤＭＡ方式を採択する場合には、単一搬送波特性の維持のために、ＰＵＣＣＨとＰＵＳＣＨを同時に伝送することはない。
【００４７】
ＰＵＣＣＨが運ぶアップリンク制御情報（ＵＣＩ）は、ＰＵＣＣＨフォーマットによってそのサイズ及び用途が異なるり、且つ符号化率によってそのサイズが異なっくることがある。例えば、下記のようなＰＵＣＣＨフォーマットが定義されるとよい。
【００４８】
（１）ＰＵＣＣＨフォーマット１：オン−オフキーイング（Ｏｎ−Ｏｆｆ  ｋｅｙｉｎｇ）（ＯＯＫ）変調、スケジューリング要請（Ｓｃｈｅｄｕｌｉｎｇ  Ｒｅｑｕｅｓｔ：ＳＲ）に使用
（２）ＰＵＣＣＨフォーマット１ａ及び１ｂ：ＡＣＫ／ＮＡＣＫ（Ａｃｋｎｏｗｌｅｄｇｍｅｎｔ／Ｎｅｇａｔｉｖｅ  Ａｃｋｎｏｗｌｅｄｇｍｅｎｔ）伝送に使用
１）ＰＵＣＣＨフォーマット１ａ：ＢＰＳＫで変調された１ビットのＡＣＫ／ＮＡＣＫ情報
２）ＰＵＣＣＨフォーマット１ｂ：ＱＰＳＫで変調された２ビットのＡＣＫ／ＮＡＣＫ情報
（３）ＰＵＣＣＨフォーマット２：ＱＰＳＫで変調、ＣＱＩ伝送に使用
（４）ＰＵＣＣＨフォーマット２ａ及び２ｂ：ＣＱＩ及びＡＣＫ／ＮＡＣＫの同時伝送に使用
表１は、ＰＵＣＣＨフォーマットによる変調方式、及びサブフレーム当たりのビット数を表す。表２は、ＰＵＣＣＨフォーマットによるスロット当たりの参照信号（Ｒｅｆｅｒｅｎｃｅ  Ｓｉｇｎａｌ：ＲＳ）の個数を表す。表３は、ＰＵＣＣＨフォーマットによる参照信号（ＲＳ）のＳＣ−ＦＤＭＡシンボル位置を表す。表１で、ＰＵＣＣＨフォーマット２ａ及び２ｂは、標準ＣＰ（ｎｏｒｍａｌ  ＣＰ）の場合に該当する。
【００４９】
【表１】
0005895008.tif 000002
【００５０】
【表２】
0005895008.tif 000003
【００５１】
【表３】
0005895008.tif 000004
【００５２】
アップリンクサブフレームでは、ＤＣ（Ｄｉｒｅｃｔ  Ｃｕｒｒｅｎｔ）副搬送波を基準に遠く離れた副搬送波が制御領域として用いられる。換言すると、アップリンク伝送帯域幅の両端部に位置する副搬送波が、アップリンク制御情報の伝送に割り当てられる。ＤＣ副搬送波は、信号伝送に使用されずに残される成分であって、ＯＦＤＭＡ／ＳＣ−ＦＤＭＡ信号生成器による周波数アップ変換過程で搬送波周波数ｆ０にマッピングされる。
【００５３】
一端末に対するＰＵＣＣＨは、１サブフレーム内のＲＢ対に割り当てられ、ＲＢ対に属したＲＢは２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が２つのスロットで同じ副搬送波を占有する。周波数ホッピングの有無にかかわらず、端末に対するＰＵＣＣＨはサブフレーム内のＲＢ対に割り当てられるので、同一ＰＵＣＣＨがサブフレーム内の各スロットで１個のＲＢを通じて一回ずつ伝送され、総２回伝送される。
【００５４】
以下、サブフレーム内のＰＵＣＣＨ伝送に用いられるＲＢ対をＰＵＣＣＨ領域と呼ぶ。また、ＰＵＣＣＨ領域及び該領域内で使用されるコードをＰＵＣＣＨリソースと呼ぶ。すなわち、相互に異なったＰＵＣＣＨリソースは、相互に異なった領域を有するか、或いは同一のＰＵＣＣＨ領域内で相互に異なったコードを有することができる。また、説明の便宜のために、ＡＣＫ／ＮＡＣＫ情報を運ぶＰＵＣＣＨをＡＣＫ／ＮＡＣＫ  ＰＵＣＣＨと呼び、ＣＱＩ／ＰＭＩ／ＲＩ情報を運ぶＰＵＣＣＨをＣＳＩ（Ｃｈａｎｎｅｌ  Ｓｔａｔｅ  Ｉｎｆｏｒｍａｔｉｏｎ）  ＰＵＣＣＨと呼び、ＳＲを運ぶＰＵＣＣＨをＳＲ  ＰＵＣＣＨと呼ぶ。
【００５５】
端末は、基地局から、明示的（ｅｘｐｌｉｃｉｔ）方式又は暗黙的（ｉｍｐｌｉｃｉｔ）方式によりアップリンク制御情報の伝送のためのＰＵＣＣＨリソースの割り当てを受ける。
【００５６】
ＡＣＫ／ＮＡＣＫ（ＡＣＫｎｏｗｌｅｄｇｍｅｎｔ／ｎｅｇａｔｉｖｅ  ＡＣＫ）情報、ＣＱＩ（Ｃｈａｎｎｅｌ  Ｑｕａｌｉｔｙ  Ｉｎｄｉｃａｔｏｒ）情報、ＰＭＩ（Ｐｒｅｃｏｄｉｎｇ  Ｍａｔｒｉｘ  Ｉｎｄｉｃａｔｏｒ）情報、ＲＩ（Ｒａｎｋ  Ｉｎｆｏｒｍａｔｉｏｎ）情報、及びＳＲ（Ｓｃｈｅｄｕｌｉｎｇ  Ｒｅｑｕｅｓｔ）情報などのアップリンク制御情報（ＵＣＩ）が、アップリンクサブフレームの制御領域上で伝送されうる。
【００５７】
無線通信システムにおいて、端末と基地局は信号又はデータなどを相互に送受信する。基地局がデータを端末に伝送すると、端末は、受信したデータをデコーディングし、データデコーディングに成功すると基地局にＡＣＫを伝送し、データデコーディングに失敗すると基地局にＮＡＣＫを伝送する。これは、逆の場合、すなわち、端末が基地局にデータを伝送した場合にも同様に適用される。３ＧＰＰ  ＬＴＥシステムにおいて、端末は基地局からＰＤＳＣＨなどを受信し、ＰＤＳＣＨに関するスケジューリング情報を運ぶＰＤＣＣＨにより決定される暗黙的ＰＵＣＣＨリソースを用いて、ＰＤＳＣＨに対するＡＣＫ／ＮＡＣＫを基地局に伝送する。ここで、端末がデータを受信できなかった場合は、ＤＴＸ（ｄｉｓｃｏｎｔｉｎｕｏｕｓ  ｔｒａｎｓｍｉｓｓｉｏｎ）状態（ｓｔａｔｅ）と見なされればよく、あらかじめ定められた規則に基づいて、受信されたデータがない場合として処理されたり、ＮＡＣＫ（データを受信したが、デコーディングに成功できなかった場合）と同一に処理されてもよい。
【００５８】
図１２は、本発明が適用されるＡＣＫ／ＮＡＣＫのためのＰＵＣＣＨリソースを決定する構造を示す図である。
【００５９】
ＡＣＫ／ＮＡＣＫ情報の伝送のためのＰＵＣＣＨリソースは、端末にあらかじめ割り当てられているのではなく、複数のＰＵＣＣＨリソースを、セル内の複数の端末が毎時点ごとに分けて使用する。具体的に、端末がＡＣＫ／ＮＡＣＫ情報を伝送するのに使用するＰＵＣＣＨリソースは、該当のダウンリンクデータを運ぶＰＤＳＣＨに関するスケジューリング情報を運ぶＰＤＣＣＨに基づいて暗黙的方式で決定される。ダウンリンクサブフレームにおいてＰＤＣＣＨが伝送される全体領域は複数のＣＣＥ（Ｃｏｎｔｒｏｌ  Ｃｈａｎｎｅｌ  Ｅｌｅｍｅｎｔ）で構成され、端末に伝送されるＰＤＣＣＨは、一つ以上のＣＣＥで構成される。ＣＣＥは、複数（例えば、９個）のＲＥＧ（Ｒｅｓｏｕｒｃｅ  Ｅｌｅｍｅｎｔ  Ｇｒｏｕｐ）を含む。１  ＲＥＧは、参照信号（Ｒｅｆｅｒｅｎｃｅ  Ｓｉｇｎａｌ：ＲＳ）を除外した状態で、隣接する４個のＲＥ（Ｒｅｓｏｕｒｃｅ  Ｅｌｅｍｅｎｔ）で構成される。端末は、自身が受信したＰＤＣＣＨを構成するＣＣＥのインデックスのうち、特定ＣＣＥのインデックス（例えば、先頭の或いは最も低いＣＣＥインデックス）の関数により誘導或いは計算される暗黙的ＰＵＣＣＨリソースを用いてＡＣＫ／ＮＡＣＫ情報を伝送する。
【００６０】
図１２を参照すると、ＰＤＣＣＨの最も低いＣＣＥインデックスは、ＡＣＫ／ＮＡＣＫ伝送のためのＰＵＣＣＨリソースインデックスに対応する。図１２のように、４〜６番のＣＣＥで構成されたＰＤＣＣＨを用いて、ＰＤＳＣＨに関するスケジューリング情報が端末に伝送されると仮定すると、端末は、ＰＤＣＣＨを構成する最低ＣＣＥである４番ＣＣＥのインデックスから誘導或いは計算されたＰＵＣＣＨ、例えば、４番に該当するＰＵＣＣＨリソースを用いてＡＣＫ／ＮＡＣＫを基地局に伝送する。
【００６１】
図１２は、ダウンリンクサブフレームに最大Ｍ’個のＣＣＥが存在し、アップリンクサブフレームに最大Ｍ個のＰＵＣＣＨリソースが存在する場合を例示する。Ｍ’＝Ｍでもよいが、Ｍ’値とＭ値とを異なるように設計し、ＣＣＥとＰＵＣＣＨリソースとのマッピングが重なるようにすることも可能である。例えば、ＰＵＣＣＨリソースインデックスを下記のように定めることができる。
【００６２】
【数１】
0005895008.tif 000005
【００６３】
ここで、ｎ（１）ＰＵＣＣＨは、ＡＣＫ／ＮＡＣＫ情報を伝送するためのＰＵＣＣＨリソースインデックスを表し、Ｎ（１）ＰＵＣＣＨは、上位レイヤーから伝達された信号値を表す。ｎＣＣＥは、ＰＤＣＣＨ伝送に用いられたＣＣＥインデックスのうち、最も小さい値を表す。
【００６４】
図１３及び図１４は、ＡＣＫ／ＮＡＣＫ伝送のためのＰＵＣＣＨフォーマット１ａ及び１ｂのスロットレベル構造を示す図である。
【００６５】
図１３は、標準ＣＰの場合におけるＰＵＣＣＨフォーマット１ａ及び１ｂを示す。図１４は、拡張ＣＰの場合におけるＰＵＣＣＨフォーマット１ａ及び１ｂを示す。ＰＵＣＣＨフォーマット１ａ及び１ｂは、同じ内容のアップリンク制御情報がサブフレーム内でスロット単位に反復される。端末から、ＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの互いに異なる巡回シフト（ｃｙｃｌｉｃ  ｓｈｉｆｔ：ＣＳ）（周波数ドメインコード）と直交カバーコード（ｏｒｔｈｏｇｏｎａｌ  ｃｏｖｅｒ  ｏｒ  ｏｒｔｈｏｇｏｎａｌ  ｃｏｖｅｒ  ｃｏｄｅ：ＯＣ  ｏｒ  ＯＣＣ）（時間ドメイン拡散コード）とから構成された互いに異なるリソースを通じて伝送される。ＯＣは、例えば、ウォルシュ（Ｗａｌｓｈ）／ＤＦＴ直交コードを含む。ＣＳの個数が６であり、ＯＣの個数が３であれば、単一アンテナを基準に、総１８個の端末が同一のＰＲＢ（Ｐｈｙｓｉｃａｌ  Ｒｅｓｏｕｒｃｅ  Ｂｌｏｃｋ）内で多重化されることが可能である。直交シーケンスｗ０、ｗ１、ｗ２、ｗ３は、（ＦＦＴ変調後に）任意の時間ドメインで、又は（ＦＦＴ変調前に）任意の周波数ドメインで適用されうる。ＳＲ（Ｓｃｈｅｄｕｌｉｎｇ  Ｒｅｑｕｅｓｔ）情報を伝送するためのＰＵＣＣＨフォーマット１のスロットレベル構造は、ＰＵＣＣＨフォーマット１ａ及び１ｂと同一であり、ただし、その変調方法のみが異なる。
【００６６】
ＳＲ情報の伝送及び半−持続的スケジューリング（ｓｅｍｉ−ｐｅｒｓｉｓｔｅｎｔ  ｓｃｈｅｄｕｌｉｎｇ：ＳＰＳ）に対するＡＣＫ／ＮＡＣＫのために、ＣＳ、ＯＣ、ＰＲＢ（Ｐｈｙｓｉｃａｌ  Ｒｅｓｏｕｒｃｅ  Ｂｌｏｃｋ）、及びＲＳ（Ｒｅｆｅｒｅｎｃｅ  Ｓｉｇｎａｌ）で構成されたＰＵＣＣＨリソースは、ＲＲＣ（Ｒａｄｉｏ  Ｒｅｓｏｕｒｃｅ  Ｃｏｎｔｒｏｌ）シグナリングを通じて端末にそれぞれ割り当てられるとよい。図１２で説明した通り、動的ＡＣＫ／ＮＡＣＫ（或いは、非持続的スケジューリング（ｎｏｎ−ｐｅｒｓｉｓｔｅｎｔ  ｓｃｈｅｄｕｌｉｎｇ）に対するＡＣＫ／ＮＡＣＫ）フィードバック、及びＳＰＳ解除を指示するＰＤＣＣＨに対するＡＣＫ／ＮＡＣＫフィードバックのために、ＰＵＣＣＨリソースは、ＰＤＳＣＨに対応するＰＤＣＣＨ、或いはＳＰＳ解除のためのＰＤＣＣＨの最も小さいＣＣＥインデックスを用いて暗黙的に端末に割り当てられるとよい。
【００６７】
図１５には、標準ＣＰの場合におけるＰＵＣＣＨフォーマット２／２ａ／２ｂを示す。図１６は、拡張ＣＰの場合におけるＰＵＣＣＨフォーマット２／２ａ／２ｂを示す。図１５及び図１６を参照すると、標準ＣＰの場合に、一つのサブフレームは、ＲＳシンボルの他、１０個のＱＰＳＫデータシンボルで構成される。それぞれのＱＰＳＫシンボルは、ＣＳにより周波数ドメインで拡散された後、該当のＳＣ−ＦＤＭＡシンボルにマッピングされる。ＳＣ−ＦＤＭＡシンボルレベルＣＳホッピングは、インター・セル干渉をランダム化するために適用することができる。ＲＳは、巡回シフトを用いてＣＤＭにより多重化することができる。例えば、可用ＣＳの個数が１２又は６であるとすれば、同一のＰＲＢ内にそれぞれ１２又は６個の端末を多重化することができる。要するに、ＰＵＣＣＨフォーマット１／１ａ／１ｂと２／２ａ／２ｂにおいて、複数の端末を、ＣＳ＋ＯＣ＋ＰＲＢとＣＳ＋ＰＲＢによりそれぞれ多重化することができる。
【００６８】
ＰＵＣＣＨフォーマット１／１ａ／１ｂのための長さ４と長さ３の直交シーケンス（ＯＣ）は、下記の表４及び表５に示す通りである。
【００６９】
【表４】
0005895008.tif 000006
【００７０】
【表５】
0005895008.tif 000007
【００７１】
ＰＵＣＣＨフォーマット１／１ａ／１ｂにおいて参照信号のための直交シーケンス（ＯＣ）は、下記表６の通りである。
【００７２】
【表６】
0005895008.tif 000008
【００７３】
図１７は、ＰＵＣＣＨフォーマット１ａ及び１ｂに対するＡＣＫ／ＮＡＣＫチャネル化（ｃｈａｎｎｅｌｉｚａｔｉｏｎ）を説明する図である。図１７は、
【００７４】
【化１】
0005895008.tif 000009
【００７５】
の場合に該当する。
【００７６】
図１８は、同一のＰＲＢ内で、ＰＵＣＣＨフォーマット１／１ａ／１ｂ及びフォーマット２／２ａ／２ｂの混合構造に対するチャネル化を示す図である。
【００７７】
巡回シフト（Ｃｙｃｌｉｃ  Ｓｈｉｆｔ：ＣＳ）ホッピングと直交カバー（Ｏｒｔｈｏｇｏｎａｌ  Ｃｏｖｅｒ：ＯＣ）再マッピング（ｒｅｍａｐｐｉｎｇ）は、下記のように適用可能である。
【００７８】
（１）インター・セル干渉（ｉｎｔｅｒ−ｃｅｌｌ  ｉｎｔｅｒｆｅｒｅｎｃｅ）のランダム化のためのシンボルベースのセル特定ＣＳホッピング
（２）スロットレベルＣＳ／ＯＣ再マッピング
１）インター・セル干渉ランダム化のために
２）ＡＣＫ／ＮＡＣＫチャネルとリソース（ｋ）間のマッピングのためのスロットベースの接近
一方、ＰＵＣＣＨフォーマット１／１ａ／１ｂのためのリソース（ｎｒ）は、下記の組み合わせを含む。
【００７９】
（１）ＣＳ（＝シンボルレベルでＤＦＴ直交コードと同一）（ｎｃｓ）
（２）ＯＣ（スロットレベルで直交カバー）（ｎｏｃ）
（３）周波数ＲＢ（Ｒｅｓｏｕｒｃｅ  Ｂｌｏｃｋ）（ｎｒｂ）
ＣＳ、ＯＣ、ＲＢを表すインデックスをそれぞれ、ｎｃｓ、ｎｏｃ、ｎｒｂとすれば、代表インデックス（ｒｅｐｒｅｓｅｎｔａｔｉｖｅ  ｉｎｄｅｘ）ｎｒは、ｎｃｓ、ｎｏｃ、及びｎｒｂを含む。ｎｒは、ｎｒ＝（ｎｃｓ、ｎｏｃ、ｎｒｂ）を満たす。
【００８０】
ＣＱＩ、ＰＭＩ、ＲＩ、及びＣＱＩとＡＣＫ／ＮＡＣＫとの組み合わせは、ＰＵＣＣＨフォーマット２／２ａ／２ｂを用いて伝達されてよい。リードマラー（Ｒｅｅｄ  Ｍｕｌｌｅｒ：ＲＭ）チャネルコーディングが適用されうる。
【００８１】
例えば、ＬＴＥシステムでアップリンクＣＱＩのためのチャネルコーディングを説明すると、次の通りである。ビットストリーム
【００８２】
【化２】
0005895008.tif 000010
【００８３】
は、（２０，Ａ）ＲＭコードを用いてチャネルコーディングされる。表７は、（２０，Ａ）コードのための基本シーケンスを示すものである。
【００８４】
【化３】
0005895008.tif 000011
【００８５】
は、ＭＳＢ（Ｍｏｓｔ  Ｓｉｇｎｉｆｉｃａｎｔ  Ｂｉｔ）とＬＳＢ（Ｌｅａｓｔ  Ｓｉｇｎｉｆｉｃａｎｔ  Ｂｉｔ）を表す。拡張ＣＰの場合に、ＣＱＩとＡＣＫ／ＮＡＣＫが同時伝送される場合を除けば、最大伝送ビットは１１ビットである。ＲＭコードを用いて２０ビットにコーディングした後に、ＱＰＳＫ変調を適用すればよい。ＱＰＳＫ変調の前に、コーディングされたビットをスクランブルすることができる。
【００８６】
【表７】
0005895008.tif 000012
【００８７】
チャネルコーディングビット
【００８８】
【化４】
0005895008.tif 000013
【００８９】
は式２により生成すればよい。
【００９０】
【数２】
0005895008.tif 000014
【００９１】
ここで、ｉ＝０，１，２，…，Ｂ−１を満たす。
【００９２】
表８は、広帯域報告（ｗｉｄｅｂａｎｄ  ｒｅｐｏｒｔ）（単一アンテナポート、伝送ダイバーシティ（ｔｒａｎｓｍｉｔ  ｄｉｖｅｒｓｉｔｙ）又は開ループ空間多重化（ｏｐｅｎ  ｌｏｏｐ  ｓｐａｔｉａｌ  ｍｕｌｔｉｐｌｅｘｉｎｇ）ＰＤＳＣＨ）ＣＱＩフィードバックのためのＵＣＩ（Ｕｐｌｉｎｋ  Ｃｏｎｔｒｏｌ  Ｉｎｆｏｒｍａｔｉｏｎ）フィールドを表すものである。
【００９３】
【表８】
0005895008.tif 000015
【００９４】
表９は、広帯域ＣＱＩとＰＭＩフィードバックのためのアップリンク制御情報（ＵＣＩ）フィールドを表し、該フィールドは、閉ループ空間多重化（ｃｌｏｓｅｄ  ｌｏｏｐ  ｓｐａｔｉａｌ  ｍｕｌｔｉｐｌｅｘｉｎｇ）ＰＤＳＣＨ伝送を報告する。
【００９５】
【表９】
0005895008.tif 000016
【００９６】
表１０は、広帯域報告のためのＲＩフィードバックのためのＵＣＩフィールドを表す。
【００９７】
【表１０】
0005895008.tif 000017
【００９８】
図１９は、物理リソースブロック（ＰＲＢ）の割当を示す図である。図１９に示すように、スロットｎｓでＰＵＣＣＨ伝送のためにＰＲＢを用いることができる。
【００９９】
多重搬送波システム又はキャリアアグリゲーション（ｃａｒｒｉｅｒ  ａｇｇｒｅｇａｔｉｏｎ：ＣＡ）システムは、広帯域支援のために目標帯域よりも小さい帯域を持つ複数の搬送波を束ねて用いるシステムのことをいう。目標帯域よりも小さい帯域を持つ複数の搬送波を束ねるとき、束ねられる搬送波の帯域は、既存システムとの互換（ｂａｃｋｗａｒｄ  ｃｏｍｐａｔｉｂｉｌｉｔｙ）のために、既存システムで用いる帯域幅に制限されるとよい。例えば、既存のＬＴＥシステムは、１．４、３、５、１０、１５、２０ＭＨｚの帯域幅を支援し、ＬＴＥシステムから進展したＬＴＥ−Ａ（ＬＴＥ−Ａｄｖａｎｃｅｄ）システムは、ＬＴＥで支援する帯域幅のみを用いて２０ＭＨｚよりも大きい帯域幅を支援するとよい。又は、既存システムで用いる帯域幅にかかわらず、新しい帯域幅を定義してキャリアアグリゲーションを支援してもよい。多重搬送波は、キャリアアグリゲーションや帯域集約と同じ意味で使われてもよい。キャリアアグリゲーションは、連続した（ｃｏｎｔｉｇｕｏｕｓ）キャリアアグリゲーション、非連続している（ｎｏｎ−ｃｏｎｔｉｇｕｏｕｓ）キャリアアグリゲーションの両方を総称する。
【０１００】
図２０は、基地局でダウンリンクコンポーネント搬送波（ＤＬ  ＣＣ）を管理する概念を示す図であり、図２１は、端末でアップリンクコンポーネント搬送波（ＵＬ  ＣＣ）を管理する概念を示す図である。説明の便宜のために、以下では、図２０及び図２１において、上位層をＭＡＣと簡略化して説明する。
【０１０１】
図２２は、基地局において一つのＭＡＣが多重搬送波を管理する概念を説明する。図２３は、端末において一つのＭＡＣが多重搬送波を管理する概念を説明する。
【０１０２】
図２２及び図２３を参照すると、一つのＭＡＣが一つ以上の周波数搬送波を管理及び運営して送受信を行う。一つのＭＡＣにより管理される周波数搬送波は、互いに連続する（ｃｏｎｔｉｇｕｏｕｓ）必要がないため、リソース管理の側面においてより柔軟（ｆｌｅｘｉｂｌｅ）であるという利点がある。図２２及び図２３で、一つのＰＨＹは、便宜上、一つのコンポーネント搬送波を意味するとする。ここで、一つのＰＨＹは、必ずしも独立したＲＦ（Ｒａｄｉｏ  Ｆｒｅｑｕｅｎｃｙ）デバイスを意味するわけではない。一般に、一つの独立したＲＦデバイスは、一つのＰＨＹを意味するが、これに限定されず、一つのＲＦデバイスは複数のＰＨＹを含むこともある。
【０１０３】
図２４は、基地局において複数のＭＡＣが多重搬送波を管理する概念を説明する。図２５は、端末において複数のＭＡＣが多重搬送波を管理する概念を説明する。図２６は、基地局において複数のＭＡＣが多重搬送波を管理する他の概念を説明する。図２７は、端末において複数のＭＡＣが多重搬送波を管理する他の概念を説明する。
【０１０４】
図２２及び図２３に示すような構造に限定されず、図２４乃至図２７のように、複数の搬送波を、一つのＭＡＣではなく複数のＭＡＣが制御することもできる。
【０１０５】
図２４及び図２５に示すように、それぞれの搬送波をそれぞれのＭＡＣが１：１で制御することもでき、図２６及び図２７に示すように、一部搬送波については、それぞれの搬送波をそれぞれのＭＡＣが１：１で制御し、残り２個以上の搬送波は一つのＭＡＣが制御する構成も可能である。
【０１０６】
上記のシステムは、１個〜Ｎ個の搬送波を含むシステムであり、各搬送波は、連続して用いられることもあり、非連続して（ｎｏｎ−ｃｏｎｔｉｇｕｏｕｓ）用いられることもある。これは、アップリンク／ダウンリンクを問わずに適用可能である。ＴＤＤシステムは、それぞれの搬送波内にダウンリンクとアップリンクの伝送を含むＮ個の複数の搬送波を運営するように構成され、ＦＤＤシステムは、複数の搬送波をアップリンクとダウンリンクにそれぞれ用いるように構成される。ＦＤＤシステムでは、アップリンクとダウンリンクで束ねられる搬送波の数及び／又は搬送波の帯域幅が相互に異なる非対称的なキャリアアグリゲーションも支援可能である。
【０１０７】
アップリンクとダウンリンクで束ねられたコンポーネント搬送波の個数が相互に同一であれば、全てのコンポーネント搬送波を既存システムと互換可能に構成することが可能である。しかし、互換性を考慮しないコンポーネント搬送波が本発明から排除されるわけではない。
【０１０８】
図２８には、５個のダウンリンクコンポーネント搬送波（ＤＬ  ＣＣ）と１個のアップリンクコンポーネント搬送波（ＵＬ  ＣＣ）とで構成された非対称のキャリアアグリゲーションを例示する。同図の非対称のキャリアアグリゲーションは、アップリンク制御情報（ＵＣＩ）伝送観点で設定されたものでよい。複数のＤＬ  ＣＣに対する特定ＵＣＩ（例えば、ＡＣＫ／ＮＡＣＫ応答）は、一つのＵＬ  ＣＣで集められて伝送される。また、複数のＵＬ  ＣＣが構成された場合にも、特定ＵＣＩ（例えば、ＤＬ  ＣＣに対するＡＣＫ／ＮＡＣＫ応答）は、あらかじめ定められた一つのＵＬ  ＣＣ（例えば、プライマリ（ｐｒｉｍａｒｙ）ＣＣ、プライマリセル又はＰＣｅｌｌ）を通じて伝送される。便宜上、各ＤＬ  ＣＣが最大２個のコードワードを搬送することができ、各ＣＣに対するＡＣＫ／ＮＡＣＫの個数が、ＣＣ当たりに設定された最大コードワードの個数に依存すると仮定すると（例えば、特定ＣＣで基地局から設定された最大コードワードの個数が２の場合に、ＣＣで特定ＰＤＣＣＨがコードワードを１個のみ使用しても、これに対するＡＣＫ／ＮＡＣＫは、ＣＣでの最大コードワードの数である２個からなる。）、ＵＬ  ＡＣＫ／ＮＡＣＫビットは、各ＤＬ  ＣＣ当たりに少なくとも２ビットを必要とする。この場合、５個のＤＬ  ＣＣから受信したデータに対するＡＣＫ／ＮＡＣＫを一つのＵＬ  ＣＣを用いて伝送するためには、少なくとも１０ビットのＡＣＫ／ＮＡＣＫビットが必要である。もし、ＤＬ  ＣＣ別にＤＴＸ（ｄｉｓｃｏｎｔｉｎｕｏｕｓ  ｔｒａｎｓｍｉｓｓｉｏｎ）状態（ｓｔａｔｅ）も別途に区別するとすれば、ＡＣＫ／ＮＡＣＫ伝送のために少なくとも１２ビット（＝５６＝３１２５＝１１．６１ビット）が必要となる。既存のＰＵＣＣＨフォーマット１ａ及び１ｂは、２ビットまでしかＡＣＫ／ＮＡＣＫを送ることができず、増加したＡＣＫ／ＮＡＣＫ情報を伝送することはできない。便宜上、ＵＣＩ情報の量が増加する原因としてキャリアアグリゲーションを例示したが、アンテナ個数の増加、ＴＤＤシステム、リレーシステムでのバックホールサブフレームの存在などによってもＵＣＩ情報の量が増加することがある。ＡＣＫ／ＮＡＣＫと同様、複数のＤＬ  ＣＣに関連した制御情報を一つのＵＬ  ＣＣを用いて伝送する場合においても、伝送されるべき制御情報の量は増加する。例えば、複数のＤＬ  ＣＣに対するＣＱＩ／ＰＭＩ／ＲＩを伝送すべき場合、ＵＣＩペイロードが増加することがある。一方、本発明では、コードワードに対するＡＣＫ／ＮＡＣＫ情報を例示しているが、コードワードに対応する伝送ブロックが存在し、該伝送ブロックに対するＡＣＫ／ＮＡＣＫ情報にも同様な適用が可能であることは明らかである。
【０１０９】
図２８に示したＵＬアンカーＣＣ（ＵＬ  ＰＣＣ（Ｐｒｉｍａｒｙ  ＣＣ）、ＵＬプライマリＣＣともいう）は、ＰＵＣＣＨリソース或いはＵＣＩが伝送されるＣＣで、セル−特定又はＵＥ−特定に決定されるとよい。例えば、端末は、最初のランダムアクセス（ｒａｎｄｏｍ  ａｃｃｅｓｓ）を試みるＣＣをプライマリＣＣ（ｐｒｉｍａｒｙ  ＣＣ）と決定すればよい。このとき、ＤＴＸ状態は、明示的にフィードバックされてもよく、ＮＡＣＫと同じ状態を共有するようにしてフィードバックされてもよい。
【０１１０】
ＬＴＥ−Ａは、無線リソースを管理するためにセル（ｃｅｌｌ）の概念を用いる。セルは、ダウンリンクリソースとアップリンクリソースとの組み合わせで定義され、アップリンクリソースは必須要素ではない。そのため、セルは、ダウンリンクリソース単独、又はダウンリンクリソースとアップリンクリソースとの組み合わせで構成可能である。キャリアアグリゲーションが支援される場合に、ダウンリンクリソースの搬送波周波数（又は、ＤＬ  ＣＣ）とアップリンクリソースの搬送波周波数（又は、ＵＬ  ＣＣ）とのリンケージ（ｌｉｎｋａｇｅ）は、システム情報により指示されるとよい。プライマリ周波数リソース（又は、ＰＣＣ）上で動作するセルをプライマリセル（Ｐｒｉｍａｒｙ  Ｃｅｌｌ、ＰＣｅｌｌ）と呼び、セカンダリ周波数リソース（又は、ＳＣＣ）上で動作するセルをセカンダリセル（Ｓｅｃｏｎｄａｒｙ  Ｃｅｌｌ、ＳＣｅｌｌ）と呼ぶことができる。ＰＣｅｌｌとは、ＵＥが初期接続確立過程を行ったり、接続再−確立過程を行うのに用いられたセルを意味することができる。ＰＣｅｌｌは、ハンドオーバー過程で指示されたセルのことを指すこともある。ＬＴＥ−Ａリリース１０では、キャリアアグリゲーションのとき、一つのＰＣｅｌｌのみが存在すればよい。ＳＣｅｌｌは、ＲＲＣ接続が確立された後に構成可能であり、追加の無線リソースを提供するのに使用するとよい。ＰＣｅｌｌとＳＣｅｌｌはサービングセルと総称されてもよい。したがって、ＲＲＣ＿ＣＯＮＮＥＣＴＥＤ状態にあるが、キャリアアグリゲーションが設定されていないか、キャリアアグリゲーションを支援しない端末は、ＰＣｅｌｌのみで構成されたサービングセルが一つのみ存在する。一方、ＲＲＣ＿ＣＯＮＮＥＣＴＥＤ状態にあり、且つキャリアアグリゲーションが設定されたＵＥは、一つ以上のサービングセルが存在し、全体サービングセルには一つのＰＣｅｌｌ及び一つ以上のＳＣｅｌｌが含まれる。キャリアアグリゲーションのために、ネットワークは、初期保安活性化過程が開始された後、キャリアアグリゲーションを支援するＵＥのために、接続確立過程で初期に構成されるＰＣｅｌｌに加えて、一つ以上のＳＣｅｌｌを付加すればよい。したがって、ＰＣＣは、ＰＣｅｌｌ、プライマリ（無線）リソース、プライマリ周波数リソースと対応し、これらは相互に同じ意味で使われてもよい。同様に、ＳＣＣは、ＳＣｅｌｌ、セカンダリ（ｓｅｃｏｎｄａｒｙ）（無線）リソース、セカンダリ周波数リソースと対応し、これらは相互に同じ意味で使われてもよい。
【０１１１】
以下、図面を参照して、増加したアップリンク制御情報を效率的に伝送するための方案を提案する。具体的に、増加したアップリンク制御情報を伝送するための新しいＰＵＣＣＨフォーマット／信号処理手順／リソース割当方法などを提案する。説明のために、本発明で提案する新しいＰＵＣＣＨフォーマットを、ＣＡ（Ｃａｒｒｉｅｒ  Ａｇｇｒｅｇａｔｉｏｎ）ＰＵＣＣＨフォーマット、又は既存ＬＴＥリリース８／９にＰＵＣＣＨフォーマット２まで定義されている点からＰＵＣＣＨフォーマット３と呼ぶ。本発明で提案するＰＵＣＣＨフォーマットの技術的思想は、アップリンク制御情報を伝送し得る任意の物理チャネル（例、ＰＵＳＣＨ）にも同一又は類似の方式で容易に適用可能である。例えば、本発明の実施例は、制御情報を周期的に伝送する周期的ＰＵＳＣＨ構造又は制御情報を非周期的に伝送する非周期的ＰＵＳＣＨ構造にも適用可能である。
【０１１２】
以下の図面及び実施例は、ＰＵＣＣＨフォーマット３に適用されるサブフレーム／スロットレベルのＵＣＩ／ＲＳシンボル構造であり、既存ＬＴＥのＰＵＣＣＨフォーマット１／１ａ／１ｂ（標準ＣＰ）のＵＣＩ／ＲＳシンボル構造を用いる場合を中心に説明する。ただし、図示のＰＵＣＣＨフォーマット３においてサブフレーム／スロットレベルのＵＣＩ／ＲＳシンボル構造は例示のために便宜上定義されたもので、本発明が特定構造に制限されることはない。本発明に係るＰＵＣＣＨフォーマット３においてＵＣＩ／ＲＳシンボルの個数、位置などはシステム設計によって自由に変形可能である。例えば、本発明の実施例に係るＰＵＣＣＨフォーマット３は、既存ＬＴＥのＰＵＣＣＨフォーマット２／２ａ／２ｂのＲＳシンボル構造を用いて定義されてもよい。
【０１１３】
本発明の実施例に係るＰＵＣＣＨフォーマット３は、任意の種類／サイズのアップリンク制御情報を伝送するのに用いることができる。例えば、本発明の実施例に係るＰＵＣＣＨフォーマット３はＨＡＲＱ  ＡＣＫ／ＮＡＣＫ、ＣＱＩ、ＰＭＩ、ＲＩ、ＳＲなどの情報を伝送でき、これらの情報は任意サイズのペイロードを有することができる。説明の便宜上、図面及び実施例では、本発明に係るＰＵＣＣＨフォーマット３がＡＣＫ／ＮＡＣＫ情報を伝送する場合を中心に説明する。
【０１１４】
図２９乃至図３２は、本発明で使用され得るＰＵＣＣＨフォーマット３の構造及びそのための信号処理手順を例示する。特に、図２９乃至図３２は、ＤＦＴ−ベースのＰＵＣＣＨフォーマットの構造を例示する。ＤＦＴ−ベースのＰＵＣＣＨ構造によれば、ＰＵＣＣＨは、ＤＦＴプリコーディングが行われ、ＳＣ−ＦＤＭＡレベルで時間ドメイン直交カバー（Ｏｒｔｈｏｇｏｎａｌ  Ｃｏｖｅｒ、ＯＣ）が適用されて伝送される。以下では、ＤＦＴ−ベースのＰＵＣＣＨフォーマットをＰＵＣＣＨフォーマット３と総称する。
【０１１５】
図２９は、ＳＦ＝４の直交コード（Ｏｒｔｈｏｇｏｎａｌ  Ｃｏｄｅ、ＯＣ）を用いたＰＵＣＣＨフォーマット３の構造を例示する。図２９を参照すると、チャネルコーディングブロック（ｃｈａｎｎｅｌ  ｃｏｄｉｎｇ  ｂｌｏｃｋ）は、伝送ビットａ＿０，ａ＿１，…，ａ＿Ｍ−１（例、多重ＡＣＫ／ＮＡＣＫビット）をチャネルコーディングしてコーディングビット（ｅｎｃｏｄｅｄ  ｂｉｔ、ｃｏｄｅｄ  ｂｉｔ  ｏｒ  ｃｏｄｉｎｇ  ｂｉｔ）（又はコードワード）ｂ＿０，ｂ＿１，…，ｂ＿Ｎ−１を生成する。Ｍは、伝送ビットのサイズを表し、Ｎは、コーディングビットのサイズを表す。伝送ビットは、アップリンク制御情報（ＵＣＩ）、例えば、複数のＤＬ  ＣＣを通じて受信した複数のデータ（又は、ＰＤＳＣＨ）に対する多重ＡＣＫ／ＮＡＣＫを含む。ここで、伝送ビットａ＿０，ａ＿１，…，ａ＿Ｍ−１は、伝送ビットを構成するＵＣＩの種類／個数／サイズにかかわらずにジョイントコーディングされる。例えば、伝送ビットが複数のＤＬ  ＣＣに対する多重ＡＣＫ／ＮＡＣＫを含む場合に、チャネルコーディングはＤＬ  ＣＣ別、個別ＡＣＫ／ＮＡＣＫビット別に行われず、全体ビット情報を対象に行われ、これにより単一コードワードが生成される。チャネルコーディングは、これに制限されるわけではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャリングされた（ｐｕｎｃｔｕｒｅｄ）ＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）或いはターボ−コーディングを含む。図示してはいないが、コーディングビットについて、変調次数とリソース量を考慮してレート−マッチング（ｒａｔｅ−ｍａｔｃｈｉｎｇ）が行われてもよい。レートマッチング機能は、チャネルコーディングブロックの一部として含まれてもよく、別途の機能ブロックを用いて行われてもよい。例えば、チャネルコーディングブロックは複数の制御情報に対して（３２，０）ＲＭコーディングを行って単一コードワードを得、これに対して循環バッファーレート−マッチングを行うことができる。
【０１１６】
変調器（ｍｏｄｕｌａｔｏｒ）は、コーディングビットｂ＿０，ｂ＿１，…，ｂ＿Ｎ−１を変調して、変調シンボルｃ＿０，ｃ＿１，…，ｃ＿Ｌ−１を生成する。Ｌは、変調シンボルのサイズを表す。変調は、伝送信号のサイズと位相を変形することによってなされる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法には、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを用いることができる。
【０１１７】
分周器（ｄｉｖｉｄｅｒ）は、変調シンボルｃ＿０，ｃ＿１，…，ｃ＿Ｌ−１を各スロットに分周する。変調シンボルを各スロットに分周する順序／パターン／方式は特に制限されない。例えば、分周器は、変調シンボルを前から順にそれぞれのスロットに分周することができる（ローカル型方式）。この場合、図示のように、変調シンボルｃ＿０，ｃ＿１，…，ｃ＿Ｌ／２−１はスロット０に分周し、変調シンボルｃ＿Ｌ／２，ｃ＿Ｌ／２＋１，…，ｃ＿Ｌ−１は、スロット１に分周すればよい。また、変調シンボルはそれぞれのスロットへの分周時にインタリービング（又はパーミュテーション）されてもよい。例えば、偶数変調シンボルは、スロット０に分周し、奇数変調シンボルはスロット１に分周してもよい。変調過程と分周過程は互いに順序が換わってもよい。
【０１１８】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、１２−ポイントＤＦＴ）を行う。同図で、スロット０に分周された変調シンボルｃ＿０，ｃ＿１，…，ｃ＿Ｌ／２−１は、ＤＦＴシンボルｄ＿０，ｄ＿１，…，ｄ＿Ｌ／２−１にＤＦＴプリコーディングされ、スロット１に分周された変調シンボルｃ＿Ｌ／２，ｃ＿Ｌ／２＋１，…，ｃ＿Ｌ−１は、ＤＦＴシンボルｄ＿Ｌ／２，ｄ＿Ｌ／２＋１，…，ｄ＿Ｌ−１にＤＦＴプリコーディングされる。ＤＦＴプリコーディングは、相応する他の線形演算（ｌｉｎｅａｒ  ｏｐｅｒａｔｉｏｎ）（例、ｗａｌｓｈ  ｐｒｅｃｏｄｉｎｇ）に代替されてもよい。
【０１１９】
拡散ブロック（ｓｐｒｅａｄｉｎｇ  ｂｌｏｃｋ）は、ＤＦＴされた信号を、ＳＣ−ＦＤＭＡシンボルレベルで（時間ドメイン）拡散する。ＳＣ−ＦＤＭＡシンボルレベルの時間ドメイン拡散は、拡散コード（シーケンス）を用いて行われる。拡散コードは、準直交コードと直交コードを含む。準直交コードとしては、これに制限されるわけではないが、ＰＮ（Ｐｓｅｕｄｏ  Ｎｏｉｓｅ）コードを含む。直交コードとしては、これに制限されるわけではないが、ウォルシュコード、ＤＦＴコードを含む。本明細書は、説明の容易のために、拡散コードの代表例として直交コードを挙げて説明するが、これは例示であり、直交コードは準直交コードに代替されてもよい。拡散コードサイズ（又は、拡散因子（Ｓｐｒｅａｄｉｎｇ  Ｆａｃｔｏｒ：ＳＦ））の最大値は、制御情報伝送に用いられるＳＣ−ＦＤＭＡシンボルの個数によって制限される。一例として、１スロットで４個のＳＣ−ＦＤＭＡシンボルが制御情報伝送に用いられる場合に、スロット別に長さ４の（準）直交コードｗ０，ｗ１，ｗ２，ｗ３を用いることができる。ＳＦは、制御情報の拡散度を意味し、ユーザー機器の多重化次数（ｍｕｌｔｉｐｌｅｘｉｎｉｇ  ｏｒｄｅｒ）又はアンテナ多重化次数と関連を持つことができる。ＳＦは、１→２→３→４…などのように、システムの要求条件に応じて可変されてもよく、基地局と端末間にあらかじめ定義されたり、ダウンリンク制御情報（ＤＣＩ）或いはＲＲＣシグナリングによって端末に知らせられてもよい。例えば、ＳＲＳを伝送するために、制御情報用ＳＣ−ＦＤＭＡシンボルのうちの一つをパンクチャリングする場合に、当該スロットの制御情報にはＳＦの縮小した（例、ＳＦ＝４の代わりにＳＦ＝３）拡散コードを適用すればよい。
【０１２０】
上の過程を経て生成された信号は、ＰＲＢ内の副搬送波にマッピングされた後に、ＩＦＦＴを経て時間ドメイン信号に変換される。時間ドメイン信号にはＣＰが付加され、生成されたＳＣ−ＦＤＭＡシンボルはＲＦ端から伝送される。
【０１２１】
５個のＤＬ  ＣＣに対するＡＣＫ／ＮＡＣＫを伝送する場合を挙げて、各過程をより具体的に説明する。それぞれのＤＬ  ＣＣが２個のＰＤＳＣＨを伝送できる場合に、これに対するＡＣＫ／ＮＡＣＫビットは、ＤＴＸ状態を含む場合に１２ビットでよい。ＱＰＳＫ変調とＳＦ＝４時間拡散を想定する場合に、（レートマッチング後の）コーディングブロックサイズは４８ビットでよい。コーディングビットは２４個のＱＰＳＫシンボルに変調され、生成されたＱＰＳＫシンボルは１２個ずつ各スロットに分周される。各スロットで１２個のＱＰＳＫシンボルは１２−ポイントＤＦＴ演算を通じて１２個のＤＦＴシンボルに変換される。各スロットにおいて１２個のＤＦＴシンボルは時間ドメインでＳＦ＝４拡散コードを用いて４個のＳＣ−ＦＤＭＡシンボルに拡散されてマッピングされる。１２個のビットが［２ビット＊１２個の副搬送波＊８個のＳＣ−ＦＤＭＡシンボル］を通じて伝送されるので、コーディングレートは０．０６２５（＝１２／１９２）となる。また、ＳＦ＝４の場合に、１  ＰＲＢ当たり最大４個の端末を多重化することができる。
【０１２２】
図３０は、ＳＦ＝５の直交コード（Ｏｒｔｈｏｇｏｎａｌ  Ｃｏｄｅ、ＯＣ）を用いたＰＵＣＣＨフォーマット３の構造を例示する。
【０１２３】
基本的な信号処理手順は、図２９を参照して説明した通りである。ただし、図３０において、ＵＣＩ  ＳＣ−ＦＤＭＡシンボルとＲＳ  ＳＣ−ＦＤＭＡシンボルの個数／位置が、図２９のそれと異なっている。このとき、拡散ブロック（ｓｐｒｅａｄｉｎｇ  ｂｌｏｃｋ）がＤＦＴプリコーダの前段であらかじめ適用されてもよい。
【０１２４】
図３０で、ＲＳはＬＴＥシステムの構造を継承することができる。例えば、基本シーケンスに巡回シフトを適用することができる。データ部分は、ＳＦ＝５により、多重化容量（ｍｕｌｔｉｐｌｅｘｉｎｇ  ｃａｐａｃｉｔｙ）が５となる。しかし、ＲＳ部分は、巡回シフト間隔である△ｓｈｉｆｔＰＵＣＣＨによって多重化容量が決定される。例えば、多重化容量は１２／△ｓｈｉｆｔＰＵＣＣＨで与えられる。この場合、△ｓｈｉｆｔＰＵＣＣＨ＝１、△ｓｈｉｆｔＰＵＣＣＨ＝２、△ｓｈｉｆｔＰＵＣＣＨ＝３の場合における多重化容量はそれぞれ１２、６、４となる。図３０で、データ部分の多重化容量は、ＳＦ＝５から、５となる反面、ＲＳの多重化容量は、△ｓｈｉｆｔＰＵＣＣＨの場合に４となり、全体多重化容量は、両者のうち、小さい値である４に制約されることがある。
【０１２５】
図３１は、スロットレベルで多重化容量が増加しうるＰＵＣＣＨフォーマット３の構造を例示する。
【０１２６】
図２９及び図３０で説明したＳＣ−ＦＤＭＡシンボルレベル拡散をＲＳに適用して全体多重化容量を増加させることができる。図３１を参照すると、スロット内でウォルシュカバー（或いはＤＦＴコードカバー）を適用すると、多重化容量が２倍に増加する。これにより、△ｓｈｉｆｔＰＵＣＣＨの場合にも多重化容量が８になり、データ区間の多重化容量が低下しなくなる。図３１で、［ｙ１  ｙ２］＝［１  １］或いは［ｙ１  ｙ２］＝［１  −１］や、その線形変換形態（例えば、［ｊ  ｊ］［ｊ  −ｊ］、［１  ｊ］［１  −ｊ］など）もＲＳのための直交カバーコードとして用いられてもよい。
【０１２７】
図３２は、サブフレームレベルで多重化容量が増加しうるＰＵＣＣＨフォーマット３の構造を例示する。
【０１２８】
スロット−レベルで周波数ホッピングを適用しないと、スロット単位にウォルシュカバーを適用することによって、多重化容量をさらに２倍に増加させることができる。ここで、上述した通り、直交カバーコードには［ｘ１  ｘ２］＝［１  １］又は［１  −１］を用いることができ、その変形形態を用いることもできる。
【０１２９】
参考として、ＰＵＣＣＨフォーマット３の処理過程は、図２９乃至図３２に示した順序に拘わらない。
【０１３０】
図３３は、本発明が適用されるチャネル選択を用いたＡＣＫ／ＮＡＣＫ情報の伝送構造を示す図である。図３３を参照すると、２ビットのＡＣＫ／ＮＡＣＫ情報のためのＰＵＣＣＨフォーマット１ｂに対して、２個のＰＵＣＣＨリソース又はＰＵＣＣＨチャネル（ＰＵＣＣＨリソース＃０及び＃１、又はＰＵＣＣＨチャネル＃０及び＃１）が設定されている。
【０１３１】
もし、３ビットのＡＣＫ／ＮＡＣＫ情報を伝送する場合は、３ビットのＡＣＫ／ＮＡＣＫ情報のうち、２ビットは、ＰＵＣＣＨフォーマット１ｂにより表現し、残り１ビットは、２個のＰＵＣＣＨリソースのうちいずれのＰＵＣＣＨリソースを選択するかによって表現することができる。例えば、ＰＵＣＣＨリソース＃０を用いてＡＣＫ／ＮＡＣＫ情報が伝送される場合、又はＰＵＣＣＨリソース＃１を用いてＡＣＫ／ＮＡＣＫ情報が伝送される場合のいずれかを選択することによって、１ビット（２通りの場合）を表現でき、総３ビットのＡＣＫ／ＮＡＣＫ情報を表現することが可能になる。
【０１３２】
表１１は、チャネル選択（Ｃｈａｎｎｅｌ  Ｓｅｌｅｃｔｉｏｎ）を用いて３ビットのＡＣＫ／ＮＡＣＫ情報を伝送する例を示す。このとき、２個のＰＵＣＣＨリソースが設定された場合を仮定する。
【０１３３】
【表１１】
0005895008.tif 000018
【０１３４】
表１１で、「Ａ」は、ＡＣＫ情報を意味し、「Ｎ」は、ＮＡＣＫ情報又はＮＡＣＫ／ＤＴＸ情報を意味する。「１，−１，ｊ，−ｊ」は、ＰＵＣＣＨフォーマットで伝送される２ビットの伝送情報であるｂ（０）、ｂ（１）が、ＱＰＳＫ変調を経た４個の複素変調シンボルを意味する。ｂ（０）、ｂ（１）は、選択されたＰＵＣＣＨリソースを用いて伝送される２進の伝送ビットに該当する。例えば、表１２に従って２進の伝送ビットｂ（０）、ｂ（１）が複素変調シンボルにマッピングされ、ＰＵＣＣＨリソースを介して伝送されるとよい。
【０１３５】
【表１２】
0005895008.tif 000019
【０１３６】
図３４は、本発明が適用される強化されたチャネル選択（ｅｎｈａｎｃｅｄ  ｃｈａｎｎｅｌ  ｓｅｌｅｃｔｉｏｎ）を用いたＡＣＫ／ＮＡＣＫ情報の伝送構造を示す図である。図３４では、ＰＵＣＣＨ＃０とＰＵＣＣＨ＃１を相互に異なった時間／周波数領域で示したが、これは便宜のためのもので、同じ時間／周波数領域で互いに異なったコードを使用するように構成されてもよい。図３４を参照すると、１ビットのＡＣＫ／ＮＡＣＫ情報の伝送のためのＰＵＣＣＨフォーマット１ａに対して、２個のＰＵＣＣＨリソース（ＰＵＣＣＨリソース＃０及び＃１）が設定されている。
【０１３７】
もし、３ビットのＡＣＫ／ＮＡＣＫ情報を伝送する場合は、３ビットのＡＣＫ／ＮＡＣＫ情報のうち、１ビットは、ＰＵＣＣＨフォーマット１ａを用いて表現し、他の１ビットは、ＡＣＫ／ＮＡＣＫ情報がいずれのＰＵＣＣＨリソース（ＰＵＣＣＨリソース＃０及び＃１）を通じて伝送されるかによって表現することができる。また、最後の１ビットは、いかなるリソースに対する参照信号が伝送されるかによって異なるように表現することができる。ここで、参照信号は、先に選択されたＰＵＣＣＨリソース（ＰＵＣＣＨリソース＃０及び＃１）の時間／周波数領域で伝送されるのが好ましいが、参照信号の本来のＰＵＣＣＨリソースに対する時間／周波数領域で伝送されてもよい。
【０１３８】
すなわち、ＰＵＣＣＨリソース＃０を通じてＡＣＫ／ＮＡＣＫ情報が伝送され、ＰＵＣＣＨリソース＃０に対応するリソースに対する参照信号が伝送される場合、ＰＵＣＣＨリソース＃１を通じてＡＣＫ／ＮＡＣＫ情報が伝送され、ＰＵＣＣＨリソース＃１に対応するリソースに対する参照信号が伝送される場合、ＰＵＣＣＨリソース＃０を通じてＡＣＫ／ＮＡＣＫ情報が伝送され、ＰＵＣＣＨリソース＃１に対応するリソースに対する参照信号が伝送される場合、及びＰＵＣＣＨリソース＃１を通じてＡＣＫ／ＮＡＣＫ情報が伝送され、ＰＵＣＣＨリソース＃０に対応するリソースに対する参照信号が伝送される場合のうち、いずれか一つの場合を選択することによって、２ビット（４通りの場合）を表現でき、総３ビットのＡＣＫ／ＮＡＣＫ情報を表現することが可能になる。
【０１３９】
表１３は、強化されたチャネル選択を用いて３ビットのＡＣＫ／ＮＡＣＫ情報を伝達する例を示す。このとき、２個のＰＵＣＣＨリソースが設定された場合を仮定する。
【０１４０】
【表１３】
0005895008.tif 000020
【０１４１】
強化されたチャネル選択を用いる表１３は、チャネル選択を用いる表１２とは違い、ＰＵＣＣＨリソースにマッピングされるシンボルを、ＢＰＳＫで変調可能であるという点で意味がある。しかし、表１３の例とは違い、ＰＵＣＣＨフォーマット１ｂを用いて複素シンボルをＱＰＳＫで変調することも可能である。こうする場合、同じＰＵＣＣＨリソースで伝送可能なビット数が増加する。
【０１４２】
図３３乃至図３４は、３ビットのＡＣＫ／ＮＡＣＫ情報を伝送するために２個のＰＵＣＣＨリソースが設定された場合を取り上げて説明したが、ＡＣＫ／ＮＡＣＫ情報の伝送ビット数及びＰＵＣＣＨリソースの数は様々に設定可能であり、ＡＣＫ／ＮＡＣＫ情報以外のアップリンク制御情報が伝送される場合、又はＡＣＫ／ＮＡＣＫ情報と他のアップリンク制御情報が同時に伝送される場合にも、同様の適用が可能であるということは明らかである。
【０１４３】
表１４には、２個のＰＵＣＣＨリソースが設定され、チャネル選択を用いて６個のＡＣＫ／ＮＡＣＫ状態を伝送する例を示す。
【０１４４】
【表１４】
0005895008.tif 000021
【０１４５】
表１５には、３個のＰＵＣＣＨリソースが設定され、チャネル選択を用いて１１個のＡＣＫ／ＮＡＣＫ状態を伝送する例を示す。
【０１４６】
【表１５】
0005895008.tif 000022
【０１４７】
表１６には、４個のＰＵＣＣＨリソースが設定され、チャネル選択を用いて２０個のＡＣＫ／ＮＡＣＫ状態を伝送する例を示す。
【０１４８】
【表１６】
0005895008.tif 000023
【０１４９】
一方、端末は、ＰＣｅｌｌ  ＤＬ  ＣＣとＳＣｅｌｌ  ＤＬ  ＣＣから受信した複数のＡＣＫ／ＮＡＣＫフィードバックを必要とする場合に対する応答を集めて（例えば、多重化（ｍｕｌｔｉｐｌｅｘｉｎｇ）、バンドリング（ｂｕｎｄｌｉｎｇ）などして）、ＰＣｅｌｌ内のＵＬ  ＣＣで一つのＰＵＣＣＨを用いて伝送する。
【０１５０】
ＤＬ  ＣＣに対するＨＡＲＱ  ＡＣＫ／ＮＡＣＫフィードバック（ｆｅｅｄｂａｃｋ）を必要とする場合としては、大きく、下記の３つの場合が挙げられる。
【０１５１】
まず、下記の表１７のような場合に、ＨＡＲＱ  ＡＣＫ／ＮＡＣＫフィードバックが要求されることがある。
【０１５２】
【表１７】
0005895008.tif 000024
【０１５３】
表１７は、一般的なＡ／Ｎフィードバックを必要とするＰＤＳＣＨのことを意味する。このようなＰＤＳＣＨは、ＤＬ  ＰＣｅｌｌ及びＳＣｅｌｌの両方で存在してもよい。以下の説明では、このような場合を、便宜上、「ＰＤＣＣＨのあるＰＤＳＣＨ（ＰＤＳＣＨ  ｗｉｔｈ  ＰＤＣＣＨ）」と略称する。
【０１５４】
次に、下記の表１８のような場合に、ＨＡＲＱ  ＡＣＫ／ＮＡＣＫフィードバックが要求されることがある。
【０１５５】
【表１８】
0005895008.tif 000025
【０１５６】
表１８は、ＳＰＳ解除（ｒｅｌｅａｓｅ）のためのＰＤＣＣＨに対するＡ／Ｎフィードバックのことを意味する。このとき、一つのサブフレームで一つ以上のＤＬセルにわたって一つのＰＤＣＣＨもないＰＤＳＣＨ（ＰＤＳＣＨ  ｗｉｔｈｏｕｔ  ｃｏｒｒｅｓｐｏｎｄｉｎｇ  ＰＤＣＣＨ）が存在することがある。また、ＤＬ  ＳＰＳ解除を指示するＰＤＣＣＨ（ＰＤＣＣＨ（ｓ）  ｉｎｄｉｃａｔｉｎｇ  ＤＬ  ＳＰＳ  ｒｅｌｅａｓｅ）に対するＡ／Ｎフィードバックは行うが、ＤＬ  ＳＰＳ活性化を指示するＰＤＣＣＨ（ＰＤＣＣＨ（ｓ）  ｉｎｄｉｃａｔｉｎｇ  ＤＬ  ＳＰＳ  ａｃｔｉｖａｔｉｏｎ）に対するＡ／Ｎフィードバックは行わなくてよい。また、このようなＰＤＣＣＨはＤＬ  ＰＣｅｌｌでのみ存在すればよい。以下の説明では、このような場合を、便宜上、「ＤＬ  ＳＰＳ解除（ｒｅｌｅａｓｅ）」と略称する。
【０１５７】
また、下記の表１９のような場合に、ＨＡＲＱ  ＡＣＫ／ＮＡＣＫフィードバックが要求されることがある。
【０１５８】
【表１９】
0005895008.tif 000026
【０１５９】
表１９は、ＰＤＣＣＨのないＰＤＳＣＨであり、ＳＰＳ（Ｓｅｍｉ−Ｐｅｒｓｉｓｔｅｎｔ  Ｓｃｈｅｄｕｌｉｎｇ）に対するＡ／Ｎフィードバックのことを意味する。また、一つのサブフレームで一つ以上のＤＬセルにわたって一つのＰＤＣＣＨもないＰＤＳＣＨ（ＰＤＳＣＨ  ｗｉｔｈｏｕｔ  ｃｏｒｒｅｓｐｏｎｄｉｎｇ  ＰＤＣＣＨ）が存在することがある。また、このようなＰＤＳＣＨはＤＬ  ＰＣｅｌｌにのみ存在すればよい。以下の説明では、このような場合を、便宜上、「ＤＬ  ＳＰＳ」と略称する。
【０１６０】
ただし、上記表１７乃至表１９を用いて説明したＨＡＲＱ  ＡＣＫ／ＮＡＣＫフィードバックイベントは単なる一例に過ぎず、他のイベントが発生する場合にもＨＡＲＱ  ＡＣＫ／ＮＡＣＫフィードバックが行われてもよい。
【０１６１】
一方、表１７乃至表１９で、ＭはセットＫの元素の数を表し、ダウンリンク受信に対するＨＡＲＱ−ＡＣＫ伝送タイミング、Ｋの定義は、サブフレームの位置（ｎ）及びＴＤＤ  ＵＬ−ＤＬ構成に従って下記表２０のように表現すればよい。
【０１６２】
【表２０】
0005895008.tif 000027
【０１６３】
また、上記表２０は図３５のように表現してもよい。
【０１６４】
図３５は、２つのフレームのうち、２番目のフレームにおけるＵＬサブフレームでＡＣＫ／ＮＡＣＫフィードバックを行うとき、表２０により、それ以前のいかなるＤＬサブフレームに対するＡＣＫ／ＮＡＣＫをフィードバックするかを示す。
【０１６５】
例えば、図３５の最も上に示したＵＬ−ＤＬ構成０では、１フレーム内に６個のＵＬサブフレームが存在する。また、２番目のフレームの最初のＵＬサブフレームでは、その６サブフレーム前のサブフレームである（前のフレームの）特別サブフレーム（ｓｐｅｃｉａｌ  ｓｕｂｆｒａｍｅ）に対するＡＣＫ／ＮＡＣＫをフィードバックする。また、２番目のＵＬサブフレームではＡＣＫ／ＮＡＣＫをフィードバックしない。また、３番目のＵＬサブフレームでは、その４サブフレーム前のサブフレームであるＤＬサブフレームに対するＡＣＫ／ＮＡＣＫをフィードバックする。また、４番目のＵＬサブフレームでは、その６サブフレーム前のサブフレームである特別サブフレームに対するＡＣＫ／ＮＡＣＫをフィードバックする。また、５番目のＵＬサブフレームではＡＣＫ／ＮＡＣＫをフィードバックしない。また、６番目のＵＬサブフレームでは、その４サブフレーム前のサブフレームであるＤＬサブフレームに対するＡＣＫ／ＮＡＣＫをフィードバックする。
【０１６６】
他の例として、図３５の上から２行目に示したＵＬ−ＤＬ構成１では、１フレーム内に４個のＵＬサブフレームが存在する。２番目のフレームの最初のＵＬサブフレームでは、その７サブフレーム及び６サブフレーム前のサブフレームである（前のフレームの）ＤＬサブフレーム及び特別サブフレームに対するＡＣＫ／ＮＡＣＫを集めて（多重化（ｍｕｌｔｉｐｌｅｘｉｎｇ）又はバンドリング（ｂｕｎｄｌｉｎｇ）して）フィードバックする。また、２番目のＵＬサブフレームでは、その４サブフレーム前のサブフレームである（前のフレームの）ＤＬサブフレームに対するＡＣＫ／ＮＡＣＫをフィードバックする。また、３番目のＵＬサブフレームでは、その７及び６サブフレーム前のサブフレームであるＤＬサブフレーム及び特別サブフレームに対するＡＣＫ／ＮＡＣＫを集めて（多重化又はバンドリングして）フィードバックする。また、４番目のＵＬサブフレームでは、その４サブフレーム前のサブフレームであるＤＬサブフレームに対するＡＣＫ／ＮＡＣＫをフィードバックする。便宜上、その他のＵＬ−ＤＬ構成における動作については説明を省略するが、それらの構成にも、前述したＵＬ−ＤＬ構成０及び１の例と同様の解釈が適用される。
【０１６７】
すなわち、ＴＤＤにおいて各ＵＬサブフレームでフィードバックされるＡＣＫ／ＮＡＣＫのＤＬサブフレームの位置は、ＴＤＤ  ＵＬ−ＤＬ構成及びＵＬサブフレームの位置によってそれぞれ異なる。
【０１６８】
また、ＦＤＤにおいて、Ｍは常に１であり、Ｋは常に｛ｋ０｝＝｛４｝である。
【０１６９】
一方、ＰＣｅｌｌからＳＣｅｌｌへのクロス−スケジューリング（ｃｒｏｓｓ−ｓｃｈｅｄｕｌｉｎｇ）は支援可能であるが、ＳＣｅｌｌからＰＣｅｌｌへのクロス−スケジューリングは支援されないこともある。
【０１７０】
ここで、他のセルからクロス−スケジューリングされたセルが存在する場合に、当該セル内で追加のＰＤＳＣＨ割当はなされなくてもよい、すなわち、特定の一つのセルは特定の一つのセルからのみスケジューリングされるとよい。
【０１７１】
一方、ＴＤＤにおいてセル間に相互同一のＵＬ−ＤＬ構成を使用するように制限されるとよい。例えば、下記の表２１に表示されたＵＬ−ＤＬ構成を相互同一に使用するように制限されてもよい。
【０１７２】
【表２１】
0005895008.tif 000028
【０１７３】
すなわち、隣接した基地局同士が同一のＵＬ−ＤＬ構成（ＵＬ−ＤＬ  ｃｏｎｆｉｇｕｒａｔｉｏｎ）を使用するという仮定の下に通信環境が設計されるとよい。ただし、隣接した基地局間に互いに時間同期が取れる同期式ネットワーク（ｓｙｎｃｈｒｏｎｉｚｅｄ  ｎｅｔｗｏｒｋ）を考慮しても、隣接した基地局同士が異なったＵＬ−ＤＬ構成を使用する場合は、特定基地局のＤＬ信号と隣接した基地局に伝送した特定端末のＵＬ信号との間に衝突が起きることがある。
【０１７４】
セル境界（ｃｅｌｌ  ｅｄｇｅ）でａ基地局からＤＬ信号を受信する端末と近接した位置でｂ基地局へＵＬ信号を送信する端末がある場合、これら基地局は、相互に異なったＵＬ−ＤＬ構成から、相互干渉が作用することになる。
【０１７５】
また、このような隣接した基地局同士が同一のＵＬ−ＤＬ構成を使用することは、基地局のリソース運用の流動性を阻害させる。すなわち、複数の基地局のそれぞれのトラフィック（ｔｒａｆｆｉｃ）量などに基づいて相互異なったＵＬ−ＤＬ構成を使用する方が、より流動的で能動的なリソース運用を可能にする。
【０１７６】
例えば、全ての基地局が同一のＵＬ−ＤＬ構成を用いている中、特定基地局内の端末に必要なアップリンクリソースが多くなると、該基地局はＵＬ−ＤＬ構成をＵＬサブフレームの数がより多いＵＬ−ＤＬ構成に替え、より多いアップリンクリソースを用いて通信サービスを行えばよい。
【０１７７】
他の例として、全ての基地局で同一のＵＬ−ＤＬ構成を用いている中、夜明けのように通話量がごく少ない時間帯になり、特定基地局内で通信を必要とする端末が少なくなると、該基地局がＵＬ−ＤＬ構成をＵＬサブフレームの数がより多いＵＬ−ＤＬ構成に替え、余計なダウンリンク伝送（例えば、ｓｙｎｃｈｒｏｎｉｚａｔｉｏｎ  ｓｉｇｎａｌ、ｒｅｆｅｒｅｎｃｅ  ｓｉｇｎａｌ、ｂｒｏａｄｃａｓｔｉｎｇ  ｃｈａｎｎｅｌなど）を減らし、基地局の省電力（ｐｏｗｅｒ  ｓａｖｉｎｇ）効果を図ってもよい。
【０１７８】
また、このようなＣＡ環境においてセル同士が同一のＵＬ−ＤＬ構成を使用することは、基地局のリソース運用の流動性を阻害させることがある。すなわち、複数のセルのそれぞれのトラフィック量などに基づいて相互異なったＵＬ−ＤＬ構成を使用する方が、より流動的で能動的なリソース運用を可能にする。
【０１７９】
例えば、全てのセルで同一のＵＬ−ＤＬ構成を用いている中、特定基地局内の端末に必要なアップリンクリソースが多くなると、一つ以上の特定セルのＵＬ−ＤＬ構成を、ＵＬサブフレームの数がより多いＵＬ−ＤＬ構成に替え、より多いアップリンクリソースを用いて通信サービスを行えばよい。
【０１８０】
他の例として、全てのセルで同一のＵＬ−ＤＬ構成を用いている中、夜明けのように通話量がごく小さい時間帯になり、特定基地局内で通信を必要とする端末が非常に少なくなると、基地局が、一つ以上の特定セルのＵＬ−ＤＬ構成を、ＵＬサブフレームの数がより多いＵＬ−ＤＬ構成に替え、余計なダウンリンク伝送（例えば、ｓｙｎｃｈｒｏｎｉｚａｔｉｏｎ  ｓｉｇｎａｌ、ｒｅｆｅｒｅｎｃｅ  ｓｉｇｎａｌ、ｂｒｏａｄｃａｓｔｉｎｇ  ｃｈａｎｎｅｌなど）を減らし、基地局の省電力の効果を得てもよい。
【０１８１】
特に、インター−バンド（ｉｎｔｅｒ−ｂａｎｄ）ＣＡ環境ではセル間に相互に異なったアップリンク伝送タイミングが必要となることがあり、端末はインター−バンドＣＡ環境で通信を行うために複数のＲＦ（ｒａｄｉｏ  ｆｒｅｑｕｅｎｃｙ）段を使用してもよい。
【０１８２】
このようなインター−バンドＣＡ環境では、セル間の干渉（ｉｎｔｅｒｆｅｒｅｎｃｅ）無しで各ＲＦ段ごとに異なったＵＬ−ＤＬ構成が可能である。
【０１８３】
したがって基地局間及び／又はＣＡでのセル（ＣＣ又はバンド）間に相互に異なったＵＬ−ＤＬ構成の使用を支援する場合に、前述した効果が保障される。
【０１８４】
ただし、セル間ＵＬ−ＤＬ構成が相互に異なる場合は、ＡＣＫ／ＮＡＣＫをフィードバックすることに問題が発生する。
【０１８５】
その時に発生する問題点を、図３６を用いて説明する。
【０１８６】
図３６では、セル＃１がＰＣｅｌｌであり、且つＵＬ−ＤＬ構成３を使用し、セル＃２はＳＣｅｌｌであり、且つＵＬ−ＤＬ構成４を使用すると仮定する。また、ＡＣＫ／ＮＡＣＫフィードバックはＰＣｅｌｌのＰＵＣＣＨで伝送され、ＰＣｅｌｌのＵＬ−ＤＬ構成によって動作すると仮定する。
【０１８７】
図３６を参照すると、２番目のフレームでＰＣｅｌｌの１番目のＵＬサブフレーム内のＰＵＣＣＨを用いて、両セルの７番目、６番目、１１番目以前のＤＬ（又は、特別（ｓｐｅｃｉａｌ））サブフレームに対するＡＣＫ／ＮＡＣＫが集められて（多重化（ｍｕｌｔｉｐｌｅｘｉｎｇ）又はバンドリング（ｂｕｎｄｌｉｎｇ）されて）伝送されることがある。ＰＣｅｌｌの２番目のＵＬサブフレーム内のＰＵＣＣＨを用いて、両セルの６番目及び５番目以前のＤＬサブフレームに対するＡＣＫ／ＮＡＣＫが集められて（多重化又はバンドリングされて）伝送されることがある。ＰＣｅｌｌの３番目のＵＬサブフレーム内のＰＵＣＣＨを用いて、両セルの５番目及び４番目以前のＤＬサブフレームに対するＡＣＫ／ＮＡＣＫが集められて（多重化又はバンドリング）伝送されることがあるが、ここで問題が起きる。
【０１８８】
すなわち、フレーム内のＰＣｅｌｌの３番目のＵＬサブフレームに対応する時間領域はＳＣｅｌｌのＤＬサブフレーム領域になり、この領域に対するＡＣＫ／ＮＡＣＫフィードバックをする領域は定義されなくなる。すなわち、図３６で、ＳＣｅｌｌ（ｃｅｌｌ  ＃２）における３番目のＤＬサブフレーム（特別サブフレームを含む）に対するＡＣＫ／ＮＡＣＫフィードバックが落ちてしまう（ｄｒｏｐ）。
【０１８９】
図３６では、説明の便宜上、ＡＣＫ／ＮＡＣＫフィードバック時の問題点を説明したが、ＡＣＫ／ＮＡＣＫの他、ＣＳＩ（Ｃｈａｎｎｅｌ  Ｓｔａｔｅ  Ｉｎｆｏｒｍａｔｉｏｎ）の伝送においてもこのような問題点が発生することがある。ここで、ＣＳＩは、ＣＱＩ（Ｃｈａｎｎｅｌ  Ｑｕａｌｉｔｙ  Ｉｎｄｉｃａｔｏｒ）、ＲＩ（Ｒａｎｋ  Ｉｎｄｉｃａｔｉｏｎ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。
【０１９０】
また、インター−バンド（ｉｎｔｅｒ−ｂａｎｄ）ＣＡでは、インター−バンド間の相互に異なる周波数特性から、伝送時間遅延（ｐｒｏｐａｇａｔｉｏｎ／ｐａｔｈ  ｄｅｌａｙ）及び（フェーディング）チャネル（（ｆａｄｉｎｇ）ｃｈａｎｎｅｌ）及び伝播損失（ｐｒｏｐａｇａｔｉｏｎ／ｐａｔｈ  ｌｏｓｓ）が互いに異なることがある。
【０１９１】
そのため、端末は、インター−バンド間に相互に異なった受信及び送信時間の設定及び相互に異なった伝送パワーの設定が必要になる場合がある。特に、端末のアップリンク伝送タイミングがセル間で相互に異なる場合、このタイミング差により伝送時間が制約されることがある。
【０１９２】
例えば、ＦＤＤ（ｆｒａｍｅ  ｓｔｒｕｃｔｕｒｅ  ｔｙｐｅ  １）においてｎ番目のＤＬサブフレームのＰＤＣＣＨがあるＰＤＳＣＨ（ＰＤＳＣＨ  ｗｉｔｈ  ＰＤＣＣＨ）に対するＡＣＫ／ＮＡＣＫ応答は、ｎ＋４番目のＵＬサブフレームのＰＵＣＣＨで伝送される（ここで、サブフレームの長さは１ｍｓである）。これは、ＵＥでＰＤＳＣＨを復調してＡＣＫ／ＮＡＣＫを生成するための処理時間（ｐｒｏｃｅｓｓｉｎｇ  ｔｉｍｅ）が約３ｍｓ（又は、３ｍｓ−２＊伝播遅延（ｐｒｏｐａｇａｔｉｏｎ  ｄｅｌａｙ））であることを考慮して設計されたものである。このとき、２個のセルからなるＦＤＤ状況において、特定端末に、ＰＣｅｌｌのＤＬ  ＣＣのフレーム境界（ｂｏｕｎｄａｒｙ）がＳＣｅｌｌのＤＬ  ＣＣのフレーム境界（ｂｏｕｎｄａｒｙ）よりも早い時間に受信されると仮定する。もし、ＰＣｅｌｌの時間基準でＡＣＫ／ＮＡＣＫフィードバック過程が行われると、ＰＣｅｌｌ基準ではｎ番目のサブフレームで受信された信号に対してｎ＋４番目のサブフレームで応答をするのに問題がない。しかし、ＳＣｅｌｌ基準ではｎ番目のサブフレームがＰＣｅｌｌのｎ番目のサブフレームよりも遅い時間に受信されるため、ＰＣｅｌｌのｎ＋４番目のサブフレームで応答をするために必要な処理時間（ｐｒｏｃｅｓｓｉｎｇ  ｔｉｍｅ）が足りなくなることがある。
【０１９３】
そこで、前述した諸問題点を解決するために、本発明では、セル、ＣＣ又はバンド間に相互に異なったＵＬ−ＤＬ構成（ｃｏｎｆｉｇｕｒａｔｉｏｎ）を使用する方法及び／又は相互に異なったアップリンク伝送タイミングの使用を效率的に支援するための方法を提供する。ただし、本明細書では、相互に異なったＵＬ−ＤＬ構成の使用はＴＤＤに適用されるとして説明するが、セル間ＴＤＤとＦＤＤが同時に設定される場合にも同様の適用が可能である。また、相互に異なったアップリンク伝送タイミングの使用は、ＴＤＤにも、ＦＤＤにも適用可能である。
【０１９４】
本発明では、特定端末で設定されたサービングセル（ｃｏｎｆｉｇｕｒｅｄ  ｓｅｒｖｉｎｇ  ｃｅｌｌ）間の相互に異なったＵＬ−ＤＬ構成の使用を支援するために、只一つの制御情報のための伝送タイミング及び只一つのＰＣｅｌｌのみ存在する場合とは違い、一つ以上の仮想ＰＣｅｌｌ又はセルグループを使用することを提案する。
【０１９５】
すなわち、特定端末は、一つ以上の仮想ＰＣｅｌｌ又はセルグループを有してもよく、各仮想ＰＣｅｌｌ又はセルグループ別にＡＣＫ／ＮＡＣＫ或いはＣＳＩのための伝送タイミング及び／或いはＰＵＣＣＨを用いてそのフィードバックをすればよい。
【０１９６】
このとき、特定端末が有し得る仮想ＰＣｅｌｌ又はセルグループの個数は、端末に構成された（ｃｏｎｆｉｇｕｒｅｄ）総セルの数に等しいか、又はそれより少なければよい。
【０１９７】
本発明で、仮想ＰＣｅｌｌ又はセルグループは、ＬＴＥ−Ａ  Ｒｅｌ−１０におけるＰＣｅｌｌと同じ意味を有しなくてもよい。
【０１９８】
すなわち、仮想ＰＣｅｌｌ又はセルグループは、ＵＥによるＰＵＣＣＨの伝送が可能なセルを意味し、一方、ＰＵＣＣＨの伝送が可能でないセルはＳＣｅｌｌと称すればよい。すなわち、仮想ＰＣｅｌｌ又はセルグループの支援は、多重（ｍｕｌｔｉｐｌｅ）ＰＵＣＣＨの支援と同じ意味で解釈すればよい。
【０１９９】
また、仮想ＰＣｅｌｌ又はセルグループは明確な名称又は指示がなくても、複数のセルのうち、ＰＵＣＣＨの伝送が可能なセルを、本発明における仮想ＰＣｅｌｌと同じものと見なせばよい。
【０２００】
或いは、仮想ＰＣｅｌｌ又はセルグループは、ＵＥにとってダウンリンク伝送に対するＨＡＲＱ−ＡＣＫ（或いはＡＣＫ／ＮＡＣＫ）フィードバックの伝送タイミング（例、表２０）の基準となるＵＬ−ＤＬ構成を有するセルを意味してもよい。すなわち、ＵＥに、２つ以上の相互に異なったＵＬ−ＤＬ構成を有するセルのＣＡ（Ｃａｒｒｉｅｒ  Ａｇｇｒｅｇａｔｉｏｎ）が構成された場合に、一つ以上のセルのダウンリンク伝送に対するＨＡＲＱ−ＡＣＫ（或いはＡＣＫ／ＮＡＣＫ）フィードバックの伝送タイミングの基準となるＵＬ−ＤＬ構成を有するセルを仮想（ｖｉｔｒｕａｌ）ＰＣｅｌｌと称してもよい。
【０２０１】
要するに、本発明でいう仮想ＰＣｅｌｌ又はセルグループは、下記のいずれか１つ以上の動作を行う基準となるセルのことを指す。以下では、説明の便宜上、仮想ＰＣｅｌｌ又はセルグループを仮想ＰＣｅｌｌとして説明する。しかし、本発明の内容が仮想ＰＣｅｌｌに限定されるものではなく、複数の仮想ＰＣｅｌｌ、セルグループ及び複数のセルグループにも適用可能であることは明らかである。
【０２０２】
本発明でいう仮想ＰＣｅｌｌは、下記のいずれか１つ以上の動作を行う基準となるセルであればよい。
【０２０３】
（１）ＰＵＣＣＨ伝送が可能なセル
（２）ＰＤＳＣＨ或いはＰＤＣＣＨに対するＡＣＫ／ＮＡＣＫ応答のタイミングの基準となるセル
（３）端末で受信されたＰＨＩＣＨが前のいずれのＰＵＳＣＨ伝送に対するＡ／Ｎ応答であるかに対するタイミングの基準となるセル
（４）端末でＰＵＳＣＨ伝送後、ＰＨＩＣＨが期待されるサブフレームに対するタイミングの基準となるセル
（５）端末でＰＤＣＣＨからＵＬグラント（ＤＣＩフォーマット０又は４）が受信されると、後どれくらいでＰＵＳＣＨ伝送が割り当てられるかに対するタイミングの基準となるセル
（６）端末でＰＨＩＣＨがＮＡＣＫとして受信されたり、期待されたが受信されなかった場合、後どれくらいでＰＵＳＣＨ再伝送を行うかに対するタイミングの基準となるセル
（７）端末でＰＵＣＣＨ伝送時に、それが、前のいずれのＰＤＳＣＨ又はＰＤＣＣＨに対するＡ／Ｎ応答であるかに対するタイミングの基準となるセル
また、仮想ＰＣｅｌｌは、ＤＬ−ＵＬリンケージ（ｌｉｎｋａｇｅ）（例えば、システム情報ブロック（ｓｙｓｔｅｍ  ｉｎｆｏｒｍａｔｉｏｎ  ｂｌｏｃｋ）２によるリンケージ）を有しなくてもよく、仮想プライマリ搬送波（ｖｉｒｔｕａｌ  ｐｒｉｍａｒｙ  ｃａｒｒｉｅｒ）を意味してもよく、多重アンカー搬送波（ｍｕｌｔｉｐｌｅ  ａｎｃｈｏｒ  ｃａｒｒｉｅｒ）と呼ばれてもよい。
【０２０４】
以下では、図３７を参照して本発明の具体的な内容を説明する。
【０２０５】
図３７は、端末に設定されたサービングセルが存在する場合に、仮想ＰＣｅｌｌを用いて制御情報を伝送する方法を示す図である。
【０２０６】
図３７では、特定端末で設定されたサービングセル間の相互に異なったＵＬ−ＤＬ構成の使用を支援するために、ＵＣＩフィードバックのための基準セル（ｒｅｆｅｒｅｎｃｅ  ｃｅｌｌ）を変更させることを提案する。
【０２０７】
より具体的に、本発明では、フレーム内のＵＬサブフレームの数が最も少ないか、又はＤＬサブフレームの数が最も多いＵＬ−ＤＬ構成を使用するセルを、ＡＣＫ／ＮＡＣＫなどのあらかじめ定められた１種類以上のＵＣＩフィードバックのための仮想ＰＣｅｌｌとして使用することを提案する。
【０２０８】
ここで、ＵＣＩフィードバックのためのＰＣｅｌｌの変更は、実際ＰＣｅｌｌの変更を意味することもあるが、仮想ＰＣｅｌｌの変更を意味してもよい。仮想ＰＣｅｌｌの変更は、実際のＰＣｅｌｌはそのままに置き、ＡＣＫ／ＮＡＣＫなどのあらかじめ定められた１種類以上のＵＣＩフィードバックをする手順及び／又は基準の適用基準となるセル及び／又はＰＵＣＣＨが存在するセルでのみ、上記フレーム内のＵＬサブフレームの数が最も少ないセルをＰＣｅｌｌと仮定して手順を行うことを意味する。
【０２０９】
ここで、制御情報の伝送は、上記変更された仮想ＰＣｅｌｌのＤＬ−ＵＬ構成に対して既存方法を適用して使用すればよい。ただし、ここで、仮想ＰＣｅｌｌは、ＤＬ  ＣＣでのみ適用してもよく、ＤＬ  ＣＣでは元のＰＣｅｌｌ、ＳＣｅｌｌをそのまま使用しながらＵＬ  ＣＣでのみ適用してもよく、ＤＬ及びＵＬ  ＣＣで同時に適用してもよい。
【０２１０】
図３７で、ＰＣｅｌｌであるセル＃１は、フレーム内に３個のＵＬサブフレームがあり、ＳＣｅｌｌであるセル＃２は、フレーム内に２個のＵＬサブフレームが存在する。このとき、ＰＣｅｌｌが、セルインデックス（ｃｅｌｌｉｎｄｅｘ）がより小さいセル＃１であれば、本発明の適用により、ＵＣＩフィードバックのためのＰＣｅｌｌとして、フレーム内のＵＬサブフレームの数がより少ないセル＃２を使用するように設定されたと仮定する。
【０２１１】
図３７を参照すると、セル＃１が元のＰＣｅｌｌであり、ＵＬ−ＤＬ構成４（フレーム内のＵＬサブフレームの数は２）を使用し、セル＃２は、ＳＣｅｌｌであり、ＵＬ−ＤＬ構成３（フレーム内のＵＬサブフレームの数は３）を使用する。ここで、ＰＣｅｌｌのＵＬサブフレームの数はＳＣｅｌｌのＵＬサブフレームの数よりも大きいので、ＵＣＩフィードバックのためのＰＣｅｌｌ変更（ｃｈａｎｇｅ）が起きる。ＰＣｅｌｌ変更によって、ＵＣＩフィードバックは、仮想ＰＣｅｌｌであるセル＃２をＰＣｅｌｌとして行われることとなる。。この時、ＡＣＫ／ＮＡＣＫフィードバックは、仮想的なＰＣｅｌｌのＰＵＣＣＨで伝送され、仮想ＰＣｅｌｌのＵＬ−ＤＬ構成に従って動作する。
【０２１２】
図３７の２番目のフレームで仮想ＰＣｅｌｌの１番目のＵＬサブフレーム内のＰＵＣＣＨを用いて、両セルの１２番目、８番目、７番目及び１１番目以前のＤＬサブフレームに対するＡＣＫ／ＮＡＣＫが集められて（例えば、多重化又はバンドリングされて）伝送される。
【０２１３】
この時、上記時間領域にＤＬサブフレームの代わりにＵＬサブフレームが存在する仮想ＰＣｅｌｌの他、一つ以上の仮想（ｖｉｒｔｕａｌ）ＳＣｅｌｌが存在する場合もある。このような場合、それに対するＡＣＫ／ＮＡＣＫは伝送されないか、或いは、あらかじめ定められたいずれかの固定値、或いはあらかじめ定められたいずれかの固定された規則に従う値（例えば、対応する仮想的なＰＣｅｌｌのＤＬサブフレームに対するＡ／Ｎ情報の反復値）で伝送されるとよい。
【０２１４】
ＡＣＫ／ＮＡＣＫが伝送されないように設計される場合に、セル間に同一のＤＬ−ＵＬ構成が使用される場合におけるＡＣＫ／ＮＡＣＫペイロード（ｐａｙｌｏａｄ）の数とペイロードの数が異なってくることがある。同一のＤＬ−ＵＬ構成が使用され、且つＡＣＫ／ＮＡＣＫバンドリング無しで全体多重化（ｆｕｌｌ  ｍｕｌｔｉｐｌｅｘｉｎｇ）が使用される場合に、特定仮想ＰＣｅｌｌ内の一つのＰＵＣＣＨで伝送されるＡＣＫ／ＮＡＣＫペイロードの数は、下記式３のように決定されるとよい。
【０２１５】
【数３】
0005895008.tif 000029
【０２１６】
ここで、
【化４−１】
0005895008.tif 000030
【０２１７】
は、バンドリングウィンドウサイズ（ｂｕｎｄｌｉｎｇ  ｗｉｎｄｏｗ  ｓｉｚｅ）であって、表２０のＭ値であればよく、セル間ＵＬ−ＤＬ構成が同一であれば、セル間に同一の値を有するようになる。また、
【０２１８】
【化５】
0005895008.tif 000031
【０２１９】
は、ｉ番目に設定されたサービングセル（ｃｏｎｆｉｇｕｒｅｄ  ｓｅｒｖｉｎｇ  ｃｅｌｌ）で支援可能な最大伝送ブロック（ｔｒａｎｓｐｏｒｔ  ｂｌｏｃｋ）の数或いはコードワード（ｃｏｄｅｗｏｒｄ）の数を意味する。
【０２２０】
【化６】
0005895008.tif 000032
【０２２１】
は、ＬＴＥ−Ａ  Ｒｅｌ−１０では１或いは２の値を有するとよく、２が設定されたセルでもそれよりも小さいコードワードを使用してもよいが、ＡＣＫ／ＮＡＣＫフィードバックは、セル当たり最大コードワードの数にするものと設計されるとよい。
【０２２２】
フィードバックのためのＤＬサブフレームの時間領域がＵＬサブフレームである場合、式３と同じペイロードをもってこのようなＡ／Ｎ情報に他の情報を伝送すればよい。
【０２２３】
すなわち、上記情報に以前セルのＡＣＫ／ＮＡＣＫ情報を反復して入れたり、あらかじめ固定された値（例えば、ＮＡＣＫ或いはＮＡＣＫ／ＮＡＣＫ）を伝送する等の方法によりペイロードを維持させるように設計すればよい。
【０２２４】
或いは、上記フィードバックのためのＤＬサブフレームの時間領域がＵＬサブフレームである場合に、ペイロードのサイズを減らすように設計してもよい。このような場合、式３は下記式４のように変更してもよい。
【０２２５】
【数４】
0005895008.tif 000033
【０２２６】
ここで、
【０２２７】
【化７】
0005895008.tif 000034
【０２２８】
は、ＰＣｅｌｌでのバンドリングウィンドウサイズ（ｂｕｎｄｌｉｎｇ  ｗｉｎｄｏｗ  ｓｉｚｅ）であり、表２０のＭ値であればよい。
【０２２９】
【化８】
0005895008.tif 000035
【０２３０】
は、ｉ番目に設定されたサービングセル（ｃｏｎｆｉｇｕｒｅｄ  ｓｅｒｖｉｎｇ  ｃｅｌｌ）で支援可能な最大伝送ブロック（ｔｒａｎｓｐｏｒｔ  ｂｌｏｃｋ）の数或いはコードワード（ｃｏｄｅｗｏｒｄ）の数を意味する。
【０２３１】
【化９】
0005895008.tif 000036
【０２３２】
は、ｉ番目に設定されたサービングセルのフレーム内のＵＬサブフレームの数とＰＣｅｌｌのフレーム内のＵＬサブフレームの数をそれぞれ表す。
【０２３３】
セル間に同一のＤＬ−ＵＬ構成が使用される場合は、２番目の項が０になって消えてしまい、上記式３と同一になる。しかし、本発明が適用されて、仮想（ｖｉｒｔｕａｌ）ＰＣｅｌｌに比べて仮想ＳＣｅｌｌがより多くのＵＬサブフレームを有するＵＬ−ＤＬ構成となった場合、上記値が存在するようになり、上記ＵＬサブフレーム数の差分だけ仮想ＳＣｅｌｌ内のＤＬサブフレームが仮想ＰＣｅｌｌに比べて少なく存在するようになるので、このような部分に対するＡ／Ｎペイロードを減らすことが可能である。
【０２３４】
例えば、ＰＣｅｌｌが「ＵＬ、ＤＬ、ＤＬ、ＤＬ」であり、ＳＣｅｌｌが「ＤＬ、ＤＬ、ＤＬ、ＤＬ」であれば、ＵＣＩフィードバックはＳＣｅｌｌが仮想ＰＣｅｌｌになり、これを基準にＵＣＩフィードバックがなされ、全てのセルが最大単一（ｍａｘｉｍｕｍ  ｓｉｎｇｌｅ）ＴＢ（コードワード）を有する場合のコードブックサイズ（ｃｏｄｅｂｏｏｋ  ｓｉｚｅ）は、チャネル選択（ｃｈａｎｎｅｌ  ｓｅｌｅｃｔｉｏｎ）の場合にＭ＝４を適用し、フォーマット３の場合にはコードブックサイズが８、ＰＵＳＣＨにピギーバック（ｐｉｇｇｙｂａｃｋｉｎｇ）され、ＵＬ  ＤＡＩがない場合のコードブックサイズは８、ＰＵＳＣＨにピギーバックされるが、ＵＬ  ＤＡＩがあり、且つＤＬ  ＤＡＩカウンター（ｃｏｕｎｔｅｒ）値と一致する場合は、元のＰＣｅｌｌのＵＬ部分まで考慮して８にしたり、ＵＬ部分は、基地局にとってはあらかじめＵＬであるということを知っているため、それをコードブックサイズから除外した７にしてもよい。
【０２３５】
上記フィードバックのためのＤＬサブフレームの時間領域が特定セルのＵＬサブフレームであり、それに対するＡＣＫ／ＮＡＣＫが伝送されない場合に、図３７では、仮想的なＰＣｅｌｌ（セル＃２）の１番目のＵＬサブフレーム内のＰＵＣＣＨを用いて、両セルの１２番目、８番目及び１１番目以前のＤＬサブフレームに対するＡＣＫ／ＮＡＣＫと、ＤＬサブフレームが存在するセル＃１の７番目以前のＤＬサブフレームに対するＡＣＫ／ＮＡＣＫが集められて伝送されるとよい。ここで、それらのサブフレームに対するＡＣＫ／ＮＡＣＫを集めるオーダリング順序（ｏｒｄｅｒｉｎｇ  ｓｅｑｕｅｎｃｅ）は本発明では制約されない。仮想的なＰＣｅｌｌの２番目のＵＬサブフレーム内のＰＵＣＣＨを用いて、両セルの６番目、５番目、４番目、７番目以前のＤＬサブフレームに対するＡＣＫ／ＮＡＣＫが集められて伝送されるとよい。
【０２３６】
このように本発明の内容を適用することによって、特定ＤＬサブフレームに対するＡＣＫ／ＮＡＣＫ応答が落ちるのを防ぐことができる。
【０２３７】
ＬＴＥ−Ａでは、ＡＣＫ／ＮＡＣＫ情報同士のバンドリングを行うことができる。ここでいうバンドリングとは、該当の情報同士の論理的（ｌｏｇｉｃａｌ）ＡＮＤ（或いはＯＲ）演算（ｏｐｅｒａｔｉｏｎ）を用いて上記情報のビット数を減らすことを指す。
【０２３８】
例えば、２個のＡＣＫ／ＮＡＣＫ情報が２進数と（‘０’，‘０’）、（‘０’，‘１’）、（‘１’，‘０’）、或いは（‘１’、‘１’）であれば、論理的ＡＮＤ演算によるバンドリングにより、それぞれ‘０’、‘０’、‘０’、或いは‘１’になることがある。
【０２３９】
ＬＴＥ−ＡＴＤＤでは時間ドメインバンドリング（ｔｉｍｅ−ｄｏｍａｉｎ  ｂｕｎｄｌｉｎｇ）を行うことができる。時間ドメインバンドリングとは、セル当たり複数の隣接したサブフレームのＡＣＫ／ＮＡＣＫ情報のバンドリングを意味する。元の（Ｏｒｉｇｉｎａｌ）ＡＣＫ／ＮＡＣＫビットが４ビットよりも多い場合、ＰＵＣＣＨフォーマット１ｂチャネル選択（ＰＵＣＣＨ  ｆｏｒｍａｔ  １ｂ  ｗｉｔｈ  ｃｈａｎｎｅｌ  ｓｅｌｅｃｔｉｏｎ）を用いてこのような時間ドメインバンドリングを行うようになる。
【０２４０】
また、上記発明の適用において、その伝送フォーマットは制約されない。ＰＵＣＣＨフォーマット１ｂチャネル選択（ＰＵＣＣＨ  Ｆｏｒｍａｔ  １ｂ  ｗｉｔｈ  ｃｈａｎｎｅｌ  ｓｅｌｅｃｔｉｏｎ）或いはＰＵＣＣＨフォーマット３（ＰＵＣＣＨ  Ｆｏｒｍａｔ  ３）などのフォーマットが使用されるとよい。
【０２４１】
また、空間バンドリング（ｓｐａｔｉａｌ  ｂｕｎｄｌｉｎｇ）、時間ドメインバンドリング（ｔｉｍｅ−ｄｏｍａｉｎ  ｂｕｎｄｌｉｎｇ）、ＣＣドメインバンドリング（ＣＣ−ｄｏｍａｉｎ  ｂｕｎｄｌｉｎｇ）、或いは多重化などの、上記バンドリングウィンドウ（ｂｕｎｄｌｉｎｇ  ｗｉｎｄｏｗ）内の複数のＡＣＫ／ＮＡＣＫを処理して伝送する手法は本発明で制約されない。
【０２４２】
また、本発明の一実施例によれば、複数のセルグループを用いる方法が適用されてもよい。
【０２４３】
すなわち、特定端末で設定されたサービングセル（ｃｏｎｆｉｇｕｒｅｄ  ｓｅｒｖｉｎｇ  ｃｅｌｌ）間の相互に異なったＵＬ−ＤＬ構成の使用を支援するために、本発明では只一つのＰＣｅｌｌのみ存在する場合とは違い、多重（ｍｕｌｔｉｐｌｅ）ＰＣｅｌｌを使用することを提案する。
【０２４４】
特定端末は一つ以上のＰＣｅｌｌを有することができ、各ＰＣｅｌｌ別にＡＣＫ／ＮＡＣＫ或いはＣＳＩのためのＰＵＣＣＨでそのフィードバックができるようにする。
【０２４５】
この時、特定端末が有し得るＰＣｅｌｌの数は、上記端末に設定された（ｃｏｎｆｉｇｕｒｅｄ）総セルの数に等しいか、又はそれよりも小さければよい。ここで、制御情報の伝送は、各ＰＣｅｌｌのＤＬ−ＵＬ構成に対する既存の方法を使用する。
【０２４６】
まず、端末は、一つ以上のx（例えば、x＝２）（あらかじめ定められてもよく、シグナリングにより指示されてもよい。）個のＰＣｅｌｌを有することができる。複数のＰＣｅｌｌが存在する場合、これらＰＣｅｌｌは相互に異なったＵＬ−ＤＬ構成を有することがある。ただし、ここでいう一つ以上のＰＣｅｌｌは、（ＵＬ  ＣＣでは元の一つのＰＣｅｌｌと一つ以上のＳＣｅｌｌをそのまま使用しながら）ＤＬ  ＣＣでのみ一つ以上のＰＣｅｌｌと一つ以上のＳＣｅｌｌが存在することも可能であり、（ＤＬ  ＣＣでは元の一つのＰＣｅｌｌと一つ以上のＳＣｅｌｌｓをそのまま使用しながら）ＵＬ  ＣＣでのみ一つ以上のＰＣｅｌｌと一つ以上のＳＣｅｌｌが存在することも可能であり、ＤＬ及びＵＬ  ＣＣで同時に一つ以上のＰＣｅｌｌと一つ以上のＳＣｅｌｌが存在することも可能である。
【０２４７】
次に、端末は上記各ＰＣｅｌｌに関連した一つ以上のＳＣｅｌｌを有することができる。ただし、ＰＣｅｌｌに関連したＳＣｅｌｌが存在しないこともある。ここで、ＰＣｅｌｌに関連した一つ以上のＳＣｅｌｌとは、上記セルのＵＣＩフィードバックのための基準又はそれと関連したＭ値（バンドリングウィンドウのサイズ）の適用基準となるセル及び／又はＰＵＣＣＨが存在するセルになるセルをＰＣｅｌｌとするとき、上記ＰＣｅｌｌとグルーピングされて動作するセルを意味する。
【０２４８】
すなわち、関連したＰＣｅｌｌとＳＣｅｌｌのＵＣＩは集められて一つのＰＵＣＣＨでフィードバックされる。
【０２４９】
ここで、関連したＰＣｅｌｌ及びＳＣｅｌｌは、同一のバンド（潜在的に同じＲＦ（ｐｏｔｅｎｔｉａｌｌｙ  ｓａｍｅ  ＲＦ））内に位置してもよい。
【０２５０】
ここで、特定ＰＣｅｌｌに関連した１つ以上のＳＣｅｌｌをまとめて一つのセルグループにすると、一つのセルグループに属する全てのセルは、同一のＵＬ−ＤＬ構成を有するように構成される。ここで、セルグループの形成／構成は論理的な意味であり、実際の物理的なグループの生成を意味しなくてもよい。関連したＳＣｅｌｌがない場合はＰＣｅｌｌのみでセルグループが構成されてもよい。
【０２５１】
そのため、端末は一つ以上のセルグループを有することがあり、各セルグループは一つのＰＣｅｌｌを含んでおり、該ＰＣｅｌｌに関連したＳＣｅｌｌ（存在するならば）を含んでもよい。
【０２５２】
また、端末は、一つ以上のセルグループに対して、各セルグループのＰＣｅｌｌのＰＵＣＣＨを用いてＡＣＫ／ＮＡＣＫフィードバック、ＣＳＩ報告（ｒｅｐｏｒｔｉｎｇ）或いはサウンディング（ｓｏｕｎｄｉｎｇ）伝送などをすればよい。ここで、セルグループは既に同一のＤＬ−ＵＬ構成を有するように設定されたので、セルグループ内では前述した既存技術における問題が生じなくなる。セルグループ間には相互に異なったＲＦ段が必要になることがある。
【０２５３】
第１実施例を適用するにあって、同一のセルグループに属するセルはイントラ−バンド（ｉｎｔｒａ−ｂａｎｄ）ＣＡ環境になり、セルグループ同士はインター−バンド（ｉｎｔｅｒ−ｂａｎｄ）ＣＡ環境になり得る。このとき、特定端末が有し得るＰＣｅｌｌの数は、当該端末に設定された総インター−バンドの数と等しいか、又はそれよりも少なければよい。
【０２５４】
一方、本発明の一実施例によれば、前述したのと異なる方法が適用されてもよい。
【０２５５】
まず、端末は、特定個数x（例えば、x＝２）（あらかじめ定められてもよく、シグナリングによって指示されてもよい）以下の相互に異なったＵＬ−ＤＬ構成のみを支援可能である。これは、端末ごとに異なってもよく、全ての端末に同一に適用されてもよい。この時、基地局は該当の端末に特定個数x以下の相互に異なったＵＬ−ＤＬ構成のみを使用するセルのみを設定すればよい。
【０２５６】
例えば、上記個数xが全ての端末にとって同一であり、且つ２である場合に、基地局は相互に異なった２個のＵＬ−ＤＬ構成のみを用いてセルを構成すればよい。
【０２５７】
次に、端末には基地局から設定されたサービングセル（ｃｏｎｆｉｇｕｒｅｄ  ｓｅｒｖｉｎｇ  ｃｅｌｌ）が指示／割当される。この時、セル別にＵＬ−ＤＬ構成が異なってもよいが、x個以下の相互に異なったＵＬ−ＤＬ構成のみ存在すればよい。端末は基地局から設定されたサービングセル（ｃｏｎｆｉｇｕｒｅｄ  ｓｅｒｖｉｎｇ  ｃｅｌｌ）のうち、同一のＵＬ−ＤＬ構成を有するセルをセルグループとして区別すればよい。Ｘ個以下の相互に異なったＵＬ−ＤＬ構成のみ存在可能であるので、x個以下のセルグループが生成されるとよい。このようなセルグループの形成／構成は論理的な意味であり、実際の物理的なグループの生成を意味しなくてもよい。すなわち、セルグループは、相互に異なったＵＬ−ＤＬ構成を有し、一つ以上のセルで構成される。
【０２５８】
また、端末は、上記形成／構成されたセルグループ当たり一つの特定セルを当該セルグループのＰＣｅｌｌと設定する。これは、基地局からシグナリングによって指示されてもよいが、あらかじめ定められた規則に従って端末によって設定されてもよい。例えば、セルグループ別に、最小のセルＩＤを有するセルを当該セルグループのＰＣｅｌｌと設定すればよい。
【０２５９】
また、端末は、一つ以上のセルグループに対して、各セルグループのＰＣｅｌｌのＰＵＣＣＨを用いてＡＣＫ／ＮＡＣＫフィードバック、ＣＳＩ報告（ｒｅｐｏｒｔｉｎｇ）、或いはサウンディング（ｓｏｕｎｄｉｎｇ）伝送などをすればよい。ここで、セルグループは、既に同一のＤＬ−ＵＬ構成を有するように設定されたので、セルグループ内では、前述した既存技術の問題が生じなくなる。セルグループ間には相互に異なったＲＦ段が必要になる場合がある。
【０２６０】
前述した実施例を適用するにあって、同一のセルグループに属するセルは、イントラ−バンド（ｉｎｔｒａ−ｂａｎｄ）ＣＡ環境になり、セルグループ同士はインター−バンド（ｉｎｔｅｒ−ｂａｎｄ）ＣＡ環境になり得る。このとき、特定端末が有し得るＰＣｅｌｌの数は、当該端末に設定された総インター−バンドの数と等しいか、又はそれよりも小さければよい。
【０２６１】
例えば、図３８のように４個の設定されたサービングセル（ｃｏｎｆｉｇｕｒｅｄ  ｓｅｒｖｉｎｇ  ｃｅｌｌ）が存在すると仮定する。このとき、２個の設定されたサービングセル（ｃｏｎｆｉｇｕｒｅｄ  ｓｅｒｖｉｎｇ  ｃｅｌｌ）（セル＃１とセル＃２）間はイントラ−バンドＣＡであり、これと異なる２個の設定されたサービングセル（ｃｏｎｆｉｇｕｒｅｄ  ｓｅｒｖｉｎｇ  ｃｅｌｌ）（セル＃３とセル＃４）間もイントラ−バンド（ｉｎｔｒａ−ｂａｎｄ）ＣＡであるとする。ただし、それぞれイントラ−バンドＣＡである２個の２セルは、相互に間周波数が離れているインター−バンドＣＡであると仮定する。
【０２６２】
この場合、各イントラ−バンドＣＡを一つのセルグループとすればよい。すなわち、セル＃１とセル＃２を一つのセルグループにし、セル＃３とセル＃４を他のセルグループにすればよい。各セルグループ内でより低いセルＩＤを有するセルをＰＣｅｌｌとすればよい（これは、基地局のシグナリングによって定められてもよく、或いはあらかじめ定められた規則に従って指定されてもよい）。イントラ−バンドＣＡであるセル＃１とセル＃２は相互に同一のＵＬ−ＤＬ構成を使用し、イントラ−バンドＣＡであるセル＃３とセル＃４も相互に同一のＵＬ−ＤＬ構成を使用する。
【０２６３】
すなわち、複数の設定されたサービングセル（ｃｏｎｆｉｇｕｒｅｄ  ｓｅｒｖｉｎｇ  ｃｅｌｌ）を有する端末にとって相互に異なったＵＬ−ＤＬ構成が存在することになる。しかし、同一のＵＬ−ＤＬ構成を使用するセル間のセルグループを構成することによって、セルグループごとにＡＣＫ／ＮＡＣＫフィードバック、ＣＳＩ報告（ｒｅｐｏｒｔｉｎｇ）、サウンディング（ｓｏｕｎｄｉｎｇ）伝送などの既存技術をそのまま適用することが可能である。
【０２６４】
上記セルグループの構成／運用は様々な方法で端末に構成（ｃｏｎｆｉｇｕｒａｔｉｏｎ）されてもよい。複数のセルグループを構成したり指定する具体的な方法、及びセルグループごとにＰＣｅｌｌを構成したり指定する具体的な方法は、本発明で直接言及されていない方法が使用されてもよく、それに本発明が制約されることはない。
【０２６５】
上記発明の適用において、その伝送フォーマットに制約はない。ＰＵＣＣＨフォーマット１ｂチャネル選択（ＰＵＣＣＨ  Ｆｏｒｍａｔ  １ｂ  ｗｉｔｈ  ｃｈａｎｎｅｌ  ｓｅｌｅｃｔｉｏｎ）或いはＰＵＣＣＨフォーマット３（ＰＵＣＣＨ  Ｆｏｒｍａｔ  ３）などのフォーマットが使用されるとよい。また、空間バンドリング（ｓｐａｔｉａｌ  ｂｕｎｄｌｉｎｇ）、時間ドメインバンドリング（ｔｉｍｅ−ｄｏｍａｉｎ  ｂｕｎｄｌｉｎｇ）、ＣＣドメインバンドリング（ＣＣ−ｄｏｍａｉｎ  ｂｕｎｄｌｉｎｇ）或いは多重化（ｍｕｌｔｉｐｌｅｘｉｎｇ）などの、上記バンドリングウィンドウ（ｂｕｎｄｌｉｎｇ  ｗｉｎｄｏｗ）内の複数のＡＣＫ／ＮＡＣＫを処理して伝送する手法に本発明が制約されることはない。
【０２６６】
時間ドメインバンドリングが使用される場合に、ＴＳ  ３６．２１３  ｖ１０．０．１の「Ｔａｂｌｅ  １０．１−１：ＤＡＳＩ（Ｄｏｗｎｌｉｎｋ  ａｓｓｏｃｉａｔｉｏｎ  ｓｅｔ  ｉｎｄｅｘ）：ｆｏｒ  ＴＤＤ」の適用は、実際Ｋセットの適用ではなく、上記セットの数（＝バンドリングウィンドウのサイズ）を表すＭ値の適用に取り替えるとよい。
【０２６７】
このような多重ＰＣｅｌｌの個数は、システム或いは端末で使用するインター−バンド（ｉｎｔｅｒ−ｂａｎｄ）の最大数に定められるとよい。
【０２６８】
また、このような多重ＰＣｅｌｌの個数は、ＵＬ伝送タイミングが相互に異なる設定されたサービングセル（ｃｏｎｆｉｇｕｒｅｄ  ｓｅｒｖｉｎｇ  ｃｅｌｌ）の個数に関連した関数として定められてもよい。
【０２６９】
ここで、ＰＣｅｌｌは、明示的に特定セルがＰＣｅｌｌであることが指示されてもよいが、あらかじめ定められた規則にしたがって暗黙的に使用されてもよい。
【０２７０】
例えば、次のような方法が使用されるとよい。
【０２７１】
セルＩＤ（ｉｄｅｎｔｉｔｙ）又はインデックスを用いて、あらかじめ定められた規則に従ってＰＣｅｌｌを定めればよい。このとき、セルＩＤのうち、最小のインデックス（ｌｏｗｅｓｔ  ｉｎｄｅｘ）を有するセルをＰＣｅｌｌと指定するとよい。
【０２７２】
また、多重ＰＣｅｌｌが使用される場合には、規則を変えるとよい。例えば、インター−バンド（ｉｎｔｅｒ−ｂａｎｄ）間に相互に異なったＰＣｅｌｌが使用される場合に、イントラ−バンド（ｉｎｔｒａ−ｂａｎｄ）内で最も低いセルＩＤを有するセルが当該イントラ−バンド内のＰＣｅｌｌと指定／使用されてもよい。
【０２７３】
すなわち、ＵＥは、イントラ−バンド内の最も低いインデックスを有するセルでＵＣＩを伝送すればよく、複数のイントラ−バンドを使用する場合は、複数のＵＣＩ伝送のためのＰＣｅｌｌが存在可能になる。
【０２７４】
他の例として、タイミングアドバンス（ｔｉｍｉｎｇ  ａｄｖａｎｃｅ）値を基準にして多重ＰＣｅｌｌが使用される場合に、多重タイミングアドバンス値が同一であるか、又は相互間のタイミングアドバンス値の差があらかじめ定められた値よりも小さいセル（セルグループとしよう）のうち、最も低いインデックスを有するセルが当該セルグループ内のＰＣｅｌｌと指定／使用されてもよい。
【０２７５】
すなわち、ＵＥは、セルグループ内の最も低いセルＩＤを有するセルでＵＣＩを伝送すればよく、一つ以上のセルグループが存在する場合、一つ以上のＵＣＩ伝送のためのＰＣｅｌｌが存在可能になる。一方、セルＩＤ（ｃｅｌｌ  ｉｄｅｎｔｉｔｙ）は、ＲＲＣパラメータ（ｐａｒａｍｅｔｅｒ）である「ｐｈｙｓＣｅｌｌＩｄ」と呼ばれてもよい。
【０２７６】
一方、仮想ＰＣｅｌｌの個数は、システム又は端末で使用するインター−バンド（ｉｎｔｅｒ−ｂａｎｄ）の最大数と等しいか、それよりも小さく設定されればよい。
【０２７７】
また、このような仮想ＰＣｅｌｌの個数は、ＵＬ伝送タイミングの差があらかじめ定められた値よりも大きい設定されたサービングセルグループ（ｃｏｎｆｉｇｕｒｅｄ  ｓｅｒｖｉｎｇ  ｃｅｌｌ  ｇｒｏｕｐ）の個数と定められてもよい。
【０２７８】
また、特定の一つのセルグループ内における仮想ＰＣｅｌｌは、基地局でＲＲＣ／ＭＡＣ／ＰＨＹシグナリングによって直接指示してもよく、あらかじめ定められた規則に従って定められてもよい。
【０２７９】
ここで、あらかじめ定められた規則として下記のような方法を使用すればよい。
【０２８０】
まず、セルグループ内の設定されたセル（ｃｏｎｆｉｇｕｒｅｄ  ｃｅｌｌ）から、あらかじめ定められた規則に従って仮想ＰＣｅｌｌが決定されるとよい。例えば、セルグループ内の設定されたセル（ｃｏｎｆｉｇｕｒｅｄ  ｃｅｌｌ）のうち、最小インデックス（ｌｏｗｅｓｔ  ｉｎｄｅｘ）を有するセルが仮想ＰＣｅｌｌとなる。
【０２８１】
また、セルグループ内の、設定された（ｃｏｎｆｉｇｕｒｅｄ）後に活性化（ａｃｔｉｖａｔｉｏｎ）されたセルから、あらかじめ定められた規則に従って仮想ＰＣｅｌｌが決定されてもよい。例えば、セルグループ内の活性化（ａｃｔｉｖａｔｉｏｎ）されたセルのうち、最低インデックスを有するセルが仮想ＰＣｅｌｌとなる。
【０２８２】
一方、本発明の一実施例によれば、端末はあらかじめ定められた規則に従ってセルグループを区別することができる。
【０２８３】
まず、インター−バンド（Ｉｎｔｅｒ−ｂａｎｄ）間相互に異なった多重ＰＣｅｌｌが使用される場合について説明する。
【０２８４】
このとき、端末は一つ以上のセルから、イントラ−バンド（ｉｎｔｒａ−ｂａｎｄ）に属するセルとインター−バンドに属するセルを区別すればいい。そのため、端末は、別途のシグナリング無しで、一つのイントラ−バンド内に属するセルを一つのセルグループに分類することができる。
【０２８５】
また、インター−バンドに属するセルを相互に異なったセルグループに分類することによって、複数のセルを分類することができる。すなわち、インター−バンドの個数分だけセルグループを生成することができる。その後、各セルグループ内で最小のセルインデックスを有するセルをＰＣｅｌｌと設定し、残りのセルをＳＣｅｌｌと設定する。
【０２８６】
次に、タイミングアドバンス値を基準にして多重ＰＣｅｌｌが使用される場合について説明する。
【０２８７】
ここで、端末は、各セルごとに異なったアップリンク伝送タイミングを使用し得ると仮定する。そのため、各セルごとに異なったＴＡ（Ｔｉｍｉｎｇ  Ａｄｖａｎｃｅ）命令（ｃｏｍｍａｎｄ）が受信されて適用され得ると仮定する。
【０２８８】
端末は、複数のタイミングアドバンス値が同一であるか、又は相互間の差があらかじめ定められた値よりも小さいセルを一つのセルグループとする。タイミングアドバンス値があらかじめ定められた値よりも大きいセルを、他のセルグループとする。その後、各セルグループ内で最小のセルインデックスを有するセルをＰＣｅｌｌと設定し、残りのセルをＳＣｅｌｌと設定する。
【０２８９】
一方、本発明の一実施例によれば、仮想ＰＣｅｌｌに対する指示（ｉｎｄｉｃａｔｉｏｎ）／臨界値（ｔｈｒｅｓｈｏｌｄ）が指示されてもよい。すなわち、ＳｅｒｖＣｅｌｌＩｎｄｅｘに対して特定の中間地点或いは臨界値を指示するパラメータを導入することによって、端末は、該パラメータを用いてＳｅｒｖＣｅｌｌＩｎｄｅｘを一つ以上のセルグループに分類可能になる。
【０２９０】
例えば、ＳｅｒｖＣｅｌｌＩｎｄｅｘが０，１，２，３，４，５，６，７の範囲を有するとすれば、上記パラメータ（x）がＳｅｒｖＣｅｌｌＩｎｄｅｘ全体（０，１，２，３，４，５，６，７）、或いはその一部（例えば、２，３，４，５、又は１，２，３，４，５，６、又は３，４，５，６，７など）を指示するようにすればよい。
【０２９１】
端末は、上記パラメータxを基準にセルグループを分類する。例えば、パラメータxよりも小さいセルインデックスを有するセルを一つのセルグループに設定し、パラメータxと等しい又は大きいセルインデックスを有するセルを他のセルグループに設定すればよい。
【０２９２】
その後、各セルグループ内で最小のセルインデックスを有するセルをＰＣｅｌｌと設定し、残りのセルをＳＣｅｌｌと設定する。上記では、説明の便宜上、上記パラメータが一つの値xをもって２つのセルグループ及び２つのＰＣｅｌｌを設定する場合を取り上げて説明したが、パラメータがｙ個の値を有する場合へと拡張し、ｙ個のセルグループ及びｙ個のＰＣｅｌｌを設定するようにしてもよい。
【０２９３】
ＳＣｅｌｌＩｎｄｅｘにも同様の基準を適用してもよい。パラメータ（x）がＳＣｅｌｌＩｎｄｅｘ全体（０，１，２，３，４，５，６，７）或いはその一部（例えば、２，３，４，５、或いは１，２，３，４，５，６、或いは３，４，５，６，７など）を指示するようにする。端末は該パラメータxを基準にセルグループを分類する。例えば、パラメータxよりも小さいセルインデックスを有するセルを一つのセルグループに設定し、パラメータxと等しい又は大きいセルインデックスを有するセルを他のセルグループに設定してもよい。
【０２９４】
一方、本発明では、便宜上、セルグループ当たり一つの仮想ＰＣｅｌｌを有する場合を説明したが、特定セルグループ内で仮想ＰＣｅｌｌの有無を、基地局がＰＨＹ、ＭＡＣ或いはＲＲＣを用いて指示してもよい。特定セルグループ内に仮想ＰＣｅｌｌが存在しない場合は、ＰＵＣＣＨ伝送のための別の方法が定義されるとよい。
【０２９５】
また、仮想ＰＣｅｌｌが存在しないセルグループに対するＰＵＣＣＨ伝送は、あらかじめ定められたセルグループにおけるＰＵＣＣＨ伝送に従えばよい。例えば、仮想ＰＣｅｌｌが存在しないセルグループに対するＰＵＣＣＨ伝送は、元のＰｃｅｌｌ（ｏｒｉｇｉａｎｌ  Ｐｃｅｌｌ）を用いるとよい。
【０２９６】
また、仮想ＰＣｅｌｌが存在しないセルグループに対するＰＵＣＣＨ伝送は、最小セルグループインデックス（ｌｏｗｅｓｔ  ｃｅｌｌ  ｇｒｏｕｐ  ｉｎｄｅｘ）を有するセルグループにおけるＰＵＣＣＨ伝送を用いてもよい。
【０２９７】
一方、仮想ＰＣｅｌｌが存在しないセルグループに対するＰＵＣＣＨ伝送がいずれのセルグループにおけるＰＵＣＣＨ伝送に従うかは、基地局がＰＨＹ、ＭＡＣ或いはＲＲＣを用いて指示すればよい。
【０２９８】
この指示は、ＰＵＣＣＨ伝送を行うセルグループに対する指示、ＰＵＣＣＨ伝送を行うセル自体の指示などを含む。
【０２９９】
また、セルグループを構成するとき、元のＰｃｅｌｌ（ｏｒｉｇｉａｎｌ  Ｐｃｅｌｌ）が最小セルグループインデックス（ｌｏｗｅｓｔ  ｃｅｌｌ  ｇｒｏｕｐ  ｉｎｄｅｘ）を有するように設定することによって、特殊な場合（例えば、仮想ＰＣｅｌｌが存在しないセルグループ）などにおいて、常に、最小セルグループインデックスを有するセルグループの規則に従うようにシステムを構成してもよい。
【０３００】
上記のような方法によって多重セルグループ及び多重ＰＣｅｌｌを構成することができる。
【０３０１】
一方、上記多重セルグループ或いは多重ＰＣｅｌｌを用いた制御情報の伝送は、下記のようにすればよい。
【０３０２】
まず、セル間でいずれもＵＬサブフレームである時点では、ＰｃｅｌｌのＵＬ／ＤＬ構成（ｃｏｎｆｉｇｕｒａｔｉｏｎ）を基準にＡＣＫ／ＮＡＣＫタイミングを適用し、Ｐｃｅｌｌ  ＰＵＣＣＨを用いて全てのＡＣＫ／ＮＡＣＫ応答を集めて伝送することができる。
【０３０３】
しかし、ＰｃｅｌｌのＤＬサブフレーム時点にＳｃｅｌｌにはＵＬサブフレームが存在する場合、すなわち、ＡＣＫ／ＮＡＣＫ伝送が必要な場合は、Ｓｃｅｌｌ内の最小インデックス（ｌｏｗｅｓｔ  ｉｎｄｅｘ）を有する仮想Ｐｃｅｌｌを用いてＰＵＣＣＨを伝送するとよい。
【０３０４】
この時、ＡＣＫ／ＮＡＣＫタイミングは、仮想ＰｃｅｌｌのＵＬ／ＤＬ構成（ｃｏｎｆｉｇｕｒａｔｉｏｎ）に従えばよい。
【０３０５】
また、ＡＣＫ／ＮＡＣＫタイミングは、元のＰｃｅｌｌ（ｏｒｉｇｉｎａｌ  Ｐｃｅｌｌ）のＡＣＫ／ＮＡＣＫタイミングで伝送されなかった（ｎ番目のサブフレームにおけるＰＵＣＣＨ伝送に対するｎ−４番目のサブフレームと等しいか、又はそれよりも以前の）ＤＬサブフレームに対するＡＣＫ／ＮＡＣＫ応答であってもよい。
【０３０６】
また、セル間でいずれもＵＬサブフレームである時点では、各セルのＵＬ／ＤＬ構成（ｃｏｎｆｉｇｕｒａｔｉｏｎ）を基準にＡＣＫ／ＮＡＣＫタイミングを適用し、Ｐｃｅｌｌ  ＰＵＣＣＨを用いて上記ＵＬサブフレームにおけるＡＣＫ／ＮＡＣＫ応答を集めて伝送してもよい。
【０３０７】
しかし、ＰｃｅｌｌのＤＬサブフレーム時点にＳｃｅｌｌにはＵＬサブフレームが存在する場合に、（ＡＣＫ／ＮＡＣＫ伝送が必要であれば）Ｓｃｅｌｌ内の最小インデックス（ｌｏｗｅｓｔ  ｉｎｄｅｘ）を有する仮想ＰｃｅｌｌでＰＵＣＣＨを伝送する。
【０３０８】
この時、ＡＣＫ／ＮＡＣＫタイミングは仮想ＰｃｅｌｌのＵＬ／ＤＬ構成（ｃｏｎｆｉｇｕｒａｔｉｏｎ）に従えばよい。また、ＡＣＫ／ＮＡＣＫタイミングは、元のＰｃｅｌｌ（ｏｒｉｇｉｎａｌ  Ｐｃｅｌｌ）のＡＣＫ／ＮＡＣＫタイミングで伝送されなかった（ｎ番目のサブフレームにおけるＰＵＣＣＨ伝送に対するｎ−４番目のサブフレームと等しいか、又はそれよりも以前の）ＤＬサブフレームに対するＡＣＫ／ＮＡＣＫ応答であってもよい。
【０３０９】
一方、本発明の一実施例によれば、特定端末で設定されたサービングセル（ｃｏｎｆｉｇｕｒｅｄ  ｓｅｒｖｉｎｇ  ｃｅｌｌ）間の相互に異なったＵＬ−ＤＬ構成の使用を支援するために、本発明では、表２０のＤＡＳＩ（Ｄｏｗｎｌｉｎｋ  ａｓｓｏｃｉａｔｉｏｎ  ｓｅｔ  ｉｎｄｅｘ）Ｋ又はこれに関連したＭ値（バンドリングウィンドウのサイズ）を、設定されたサービングセル（ｃｏｎｆｉｇｕｒｅｄ  ｓｅｒｖｉｎｇ  ｃｅｌｌ）のうち、ＤＬサブフレームがより多い（又はＵＬサブフレームがより少ない）セル基準に適用する方法を提供することができる。
【０３１０】
図３９を参照すると、２番目のフレームでＰＣｅｌｌの１番目のＵＬサブフレーム内のＰＵＣＣＨを用いて、両セルの１２番目、８番目、７番目及び１１番目以前のＤＬサブフレームに対するＡＣＫ／ＮＡＣＫが集められて伝送される。
【０３１１】
このとき、上記時間領域にＤＬサブフレームの代わりにＵＬサブフレームが存在するセルが存在することがある。
【０３１２】
このような場合、それに対するＡＣＫ／ＮＡＣＫは伝送されないか、又はあらかじめ定められたいずれかの固定値、或いはあらかじめ定められたいずれかの固定された規則に従う値（例えば、対応するＰｃｅｌｌのＤＬサブフレームに対するＡ／Ｎ情報の反復値）で伝送されるとよい。
【０３１３】
これに対するＡＣＫ／ＮＡＣＫが伝送されないように設計される場合に、セル間に同一のＤＬ−ＵＬ構成が使用される場合におけるＡＣＫ／ＮＡＣＫペイロードの数とペイロードの数が異なってくることがある。
【０３１４】
同一のＤＬ−ＵＬ構成が使用され、且つＡＣＫ／ＮＡＣＫバンドリング無しで全体多重化（ｆｕｌｌ  ｍｕｌｔｉｐｌｅｘｉｎｇ）が使用される場合に、特定セル内の一つのＰＵＣＣＨで伝送されるＡＣＫ／ＮＡＣＫペイロードの数は、下記式５のように決定されるとよい。
【０３１５】
【数５】
0005895008.tif 000037
【０３１６】
ここで、
【化９−１】
0005895008.tif 000038
【０３１７】
は、バンドリングウィンドウサイズ（ｂｕｎｄｌｉｎｇ  ｗｉｎｄｏｗ  ｓｉｚｅ）であって、表２０のＭ値であればよく、セル間ＵＬ−ＤＬ構成が同一であれば、セル間に同一の値を有するようになる。また、
【０３１８】
【化１０】
0005895008.tif 000039
【０３１９】
は、ｉ番目に設定されたサービングセル（ｃｏｎｆｉｇｕｒｅｄ  ｓｅｒｖｉｎｇ  ｃｅｌｌ）で支援可能な最大伝送ブロック（ｔｒａｎｓｐｏｒｔ  ｂｌｏｃｋ）の数或いはコードワード（ｃｏｄｅｗｏｒｄ）の数を意味する。
【０３２０】
【化１１】
0005895008.tif 000040
【０３２１】
は、ＬＴＥ−Ａ  Ｒｅｌ−１０では１或いは２の値を有するとよく、２が設定されたセルでもそれよりも小さいコードワードを使用してもよいが、ＡＣＫ／ＮＡＣＫフィードバックは、セル当たり最大コードワードの数にするものと設計されるとよい。
【０３２２】
フィードバックのためのＤＬサブフレームの時間領域がＵＬサブフレームである場合、式５と同じペイロードをもってこのようなＡ／Ｎ情報に他の情報を伝送すればよい。
【０３２３】
すなわち、上記情報に以前セルのＡＣＫ／ＮＡＣＫ情報を反復して入れたり、あらかじめ固定された値（例えば、ＮＡＣＫ或いはＮＡＣＫ／ＮＡＣＫ）を伝送する等の方法によりペイロードを維持させるように設計すればよい。
【０３２４】
或いは、上記フィードバックのためのＤＬサブフレームの時間領域がＵＬサブフレームである場合に、ペイロードのサイズを減らすように設計してもよい。このような場合、式５は下記式６のように変更してもよい。
【０３２５】
【数６】
0005895008.tif 000041
【０３２６】
ここで、
【０３２７】
【化１２】
0005895008.tif 000042
【０３２８】
は、バンドリングウィンドウサイズ（ｂｕｎｄｌｉｎｇ  ｗｉｎｄｏｗ  ｓｉｚｅ）であり、表２０のＭ値であればよい。
【０３２９】
【化１３】
0005895008.tif 000043
【０３３０】
は、ｉ番目に設定されたサービングセル（ｃｏｎｆｉｇｕｒｅｄ  ｓｅｒｖｉｎｇ  ｃｅｌｌ）で支援可能な最大伝送ブロック（ｔｒａｎｓｐｏｒｔ  ｂｌｏｃｋ）の数或いはコードワード（ｃｏｄｅｗｏｒｄ）の数を意味する。
【０３３１】
【化１４】
0005895008.tif 000044
【０３３２】
は、ｉ番目に設定されたサービングセルのフレーム内のＵＬサブフレームの数とターゲットセル（Ｔａｒｇｅｔ  Ｃｅｌｌ）（設定されたサービングセル（ｃｏｎｆｉｇｕｒｅｄ  ｓｅｒｖｉｎｇ  ｃｅｌｌ）のうち、ＵＬサブフレームの数が最も小さいＵＬ−ＤＬ構成を有するセル）のフレーム内のＵＬサブフレームの数をそれぞれ表す。
【０３３３】
セル間に同一のＤＬ−ＵＬ構成が使用される場合は、２番目の項が０になって消えてしまい、上記式５と同一になる。しかし、本発明が適用されて、特定セルに比べてターゲットセル（Ｔａｒｇｅｔ  Ｃｅｌｌ）がより多くのＵＬサブフレームを有するＵＬ−ＤＬ構成となった場合、上記値が存在するようになり、上記ＵＬサブフレーム数の差分だけセル内のＤＬサブフレームがターゲットセル（Ｔａｒｇｅｔ  Ｃｅｌｌ）に比べて少なく存在するようになるので、このような部分に対するＡ／Ｎペイロードを減らすことが可能である。
【０３３４】
上記フィードバックのためのＤＬサブフレームの時間領域が特定セルのＵＬサブフレームであり、且つそれに対するＡＣＫ／ＮＡＣＫが伝送されない場合に、図３９のようにＤＡＳＩ（Ｄｏｗｎｌｉｎｋ  ａｓｓｏｃｉａｔｉｏｎ  ｓｅｔ  ｉｎｄｅｘ）Ｋは、設定されたサービングセル（ｃｏｎｆｉｇｕｒｅｄ  ｓｅｒｖｉｎｇ  ｃｅｌｌ）のうち、ＵＬサブフレームの数が最も小さいＵＬ−ＤＬ構成を有するセルに従って動作する。
【０３３５】
ここで、基準セルはＰＣｅｌｌでなくてもよい。
【０３３６】
Ｐｃｅｌｌの１番目のＵＬサブフレーム内のＰＵＣＣＨを用いて、両セルの１２番目、８番目及び１１番目以前のＤＬ（又は特別（ｓｐｅｃｉａｌ））サブフレームに対するＡＣＫ／ＮＡＣＫと、ＤＬサブフレームが存在する７番目以前のＤＬサブフレームに対するＡＣＫ／ＮＡＣＫが集められて伝送されるとよい。
【０３３７】
ここで、それらのサブフレームに対するＡＣＫ／ＮＡＣＫを集めるオーダリング順序（ｏｒｄｅｒｉｎｇ  ｓｅｑｕｅｎｃｅ）は本発明では制約されない。ＰＣｅｌｌの２番目のＵＬサブフレーム内のＰＵＣＣＨを用いて、両セルの６番目、５番目、４番目、７番目以前のＤＬサブフレームに対するＡＣＫ／ＮＡＣＫが集められて（多重化又はバンドリングされて）伝送されるとよい。このように本発明を適用することによって、特定ＤＬ（又は特別（ｓｐｅｃｉａｌ））サブフレームに対するＡＣＫ／ＮＡＣＫ応答が落ちることを防止することができる。
【０３３８】
ここで、ＰＵＣＣＨはＲｅｌ−１０のようにＰＣｅｌｌで伝送されるとしたが、他のＳｃｅｌｌ（例えば、設定されたサービングセル（ｃｏｎｆｉｇｕｒｅｄ  ｓｅｒｖｉｎｇ  ｃｅｌｌ）のうち、ＵＬサブフレームの数が最も小さいＵＬ−ＤＬ構成を有するセル）で伝送されるように設計してもよい。
【０３３９】
一方、本発明の他の実施例によれば、バンドリング（Ｂｕｎｄｌｉｎｇ）を使用することによって、既存と同様、常にＰｃｅｌｌを基準にＵＣＩフィードバックを行う方法を提供することができる。
【０３４０】
特定端末で設定されたサービングセル（ｃｏｎｆｉｇｕｒｅｄ  ｓｅｒｖｉｎｇ  ｃｅｌｌ）間の相互に異なったＵＬ−ＤＬ構成の使用を支援するために、既存Ｒｅｌ−１０における方法の通りＰＣｅｌｌを基準にＵＣＩフィードバックを行うことを提案する。
【０３４１】
しかし、フィードバックに含まれない情報が発生する時は、あらかじめ定められた規則に従って他の情報とバンドリングを行って共に伝送することを提案する。
【０３４２】
例えば、あらかじめ定められた規則は、ＵＣＩ情報が存在する隣接した（例えば、時間的に前或いは後の）サブフレームを意味してもよく、又は同一のサブフレームのＵＣＩ情報が存在する隣接したＣＣ（例えば、セルＩＤ＋１又はセルＩＤ−１など）を意味してもよい。
【０３４３】
また、ここでいうバンドリングとは、該当の情報間の論理的（ｌｏｇｉｃａｌ）ＡＮＤ（或いはＯＲ）演算（ｏｐｅｒａｔｉｏｎ）を用いて当該情報のビット数を減らすことを意味する。例えば、２個のＡＣＫ／ＮＡＣＫ情報が２進数と（‘０’，‘０’）、（‘０’，‘１’）、（‘１’，‘０’）、或いは（‘１’，‘１’）であれば、論理的ＡＮＤ演算によるバンドリングを用いてそれぞれ、‘０’、‘０’、‘０’、或いは‘１’になることがある。すなわち、本発明のようにバンドリングを用いることによって、Ｐｃｅｌｌの変化或いはペイロードの変化無しで、既存技術をそのまま用いることが可能になる。
【０３４４】
図４０では、２個の設定されたサービングセル（ｃｏｎｆｉｇｕｒｅｄ  ｓｅｒｖｉｎｇ  ｃｅｌｌ）が相互に異なったＵＬ−ＤＬ構成を有する場合、フィードバックに含まれない情報が発生すると、あらかじめ定められた規則として、当該情報を、ＵＣＩ情報が存在する時間的に後のサブフレームの情報とバンドリングを行って伝送できるようにする例を示す。
【０３４５】
図４０では、ＰｃｅｌｌのＵＬ−ＤＬ構成（ｃｏｎｆｉｇｕｒａｔｉｏｎ）に従ってＤＡＳＩ（Ｄｏｗｎｌｉｎｋ  ａｓｓｏｃｉａｔｉｏｎ  ｓｅｔ  ｉｎｄｅｘ）Ｋを使用する。
【０３４６】
しかし、Ｋセットのうち、特定時間領域にＤＬサブフレームの代わりにＵＬサブフレームが存在するセルがある場合に、このようなＤＬサブフレームは、セル内の時間領域において後にあるＤＬサブフレームの情報とバンドリングを行う。
【０３４７】
したがって、複数のセルにわたる全てのＤＬ（又は特別（ｓｐｅｃｉａｌ））サブフレームに対するＵＣＩを、既存方法を用いてフィードバックすることが可能である。
【０３４８】
また、本発明のさらに他の実施例によれば、フィードバックに含まれない情報が発生すると、時間領域において最も近くに続くＵＣＩ情報を伝送するサブフレームでＵＣＩフィードバックを行う方法が提供されてもよい。
【０３４９】
前述した方法のようにバンドリングを行う場合には、バンドリングによって情報の損失が発生することがある。
【０３５０】
このようなバンドリングの損失を発生を防ぐために、２つの設定されたサービングセル（ｃｏｎｆｉｇｕｒｅｄ  ｓｅｒｖｉｎｇ  ｃｅｌｌ）が相互に異なったＵＬ−ＤＬ構成を有する場合に、フィードバックに含まれない情報が発生すると、あらかじめ定められた規則として、当該情報を、ＵＣＩ情報が存在する、時間的に最も近くに続くＵＣＩ情報をフィードバックするサブフレームの情報を送る時点に併せて伝送するように設定すればよい。
【０３５１】
図４１では、ＰｃｅｌｌのＵＬ−ＤＬ構成に従ってＤＡＳＩ（Ｄｏｗｎｌｉｎｋ  ａｓｓｏｃｉａｔｉｏｎ  ｓｅｔ  ｉｎｄｅｘ）Ｋを使用する。
【０３５２】
しかし、Ｋセットのうち、特定時間領域にＤＬサブフレームの代わりにＵＬサブフレームが存在するセルがある場合に、このようなＤＬサブフレーム（図４１で表示されたセル＃２における１番目のフレーム内の５番目のサブフレーム）は、セル内の時間領域において最も近くに続くＵＣＩ情報をフィードバックするサブフレーム（図４１で表示されたセル＃１における２番目のフレーム内の３番目のサブフレーム）で共に伝送するようにする。
【０３５３】
このような伝送を、図４１では（追加）と表示した。ここで、同時伝送（ｓｉｍｕｌｔａｎｅｏｕｓ  ｔｒａｎｓｍｉｓｓｉｏｎ）は、伝送ペイロードを増加させて同一の物理リソース（ｐｈｙｓｉｃａｌ  ｒｅｓｏｕｒｃｅ）上で伝送することを意味することもあり、異なったＰＵＣＣＨリソース（ｒｅｓｏｕｒｃｅ）を用いて別途に伝送することを意味することもある。
【０３５４】
上記発明の適用において、その伝送フォーマットは制約されない。ＰＵＣＣＨフォーマット１ｂチャネル選択（ＰＵＣＣＨ  Ｆｏｒｍａｔ  １ｂ  ｗｉｔｈ  ｃｈａｎｎｅｌ  ｓｅｌｅｃｔｉｏｎ）或いはＰＵＣＣＨフォーマット３（ＰＵＣＣＨ  Ｆｏｒｍａｔ  ３）などのフォーマットが使用されるとよい。また、空間バンドリング（ｓｐａｔｉａｌ  ｂｕｎｄｌｉｎｇ）、時間ドメインバンドリング（ｔｉｍｅ−ｄｏｍａｉｎ  ｂｕｎｄｌｉｎｇ）、ＣＣドメインバンドリング（ＣＣ−ｄｏｍａｉｎ  ｂｕｎｄｌｉｎｇ）、或いは多重化（ｍｕｌｔｉｐｌｅｘｉｎｇ）などの、上記バンドリングウィンドウ内の複数のＡＣＫ／ＮＡＣＫを処理して伝送する手法は本発明で制約されない。
【０３５５】
一方、本発明の他の実施例によれば、ＰＣｅｌｌ基準にバンドリングウィンドウを全ての搬送波に対して設定し、それによるＵＣＩフィードバックを行う方法が提供されてもよい。
【０３５６】
すなわち、特定端末で設定されたサービングセル（ｃｏｎｆｉｇｕｒｅｄ  ｓｅｒｖｉｎｇ  ｃｅｌｌ）間の相互に異なったＵＬ−ＤＬ構成の使用を支援するために、各ＤＬ  ＣＣ別にｎｏｎ−ＣＡ環境でのＵＣＩフィードバック方法を用いて、その結果を集めてＲｅｌ−１０  ＰＵＣＣＨを用いて伝送する方法が適用されてもよい。
【０３５７】
また、本発明のさらに他の実施例によれば、各セルを基準にＵＣＩフィードバックを生成した後、それらを集めて伝送を行う方法が提供されてもよい。
【０３５８】
すなわち、特定端末で設定されたサービングセル（ｃｏｎｆｉｇｕｒｅｄ  ｓｅｒｖｉｎｇ  ｃｅｌｌ）間の相互に異なったＵＬ−ＤＬ構成の使用を支援するために、既存Ｒｅｌ−１０における方法を、各設定されたサービングセル別にそれぞれ適用することを提案する。
【０３５９】
各設定されたサービングセル別にｎｏｎ−ＣＡ環境でのＵＣＩフィードバック方法を用いて（これは、あらかじめ定められた設定されたサービングセルグループ別にＣＡ環境でのＵＣＩフィードバック方法を使用することに拡張されてもよい）、ＵＣＩ情報を集めた後、各セルのＵＣＩ情報を集めて特定ＰＵＣＣＨで伝送することを提案する。
【０３６０】
そのため、各設定されたサービングセルのＵＣＩ情報のペイロードは相互に異なることがある。
【０３６１】
図４２のように、２個の設定されたサービングセル（ｃｏｎｆｉｇｕｒｅｄ  ｓｅｒｖｉｎｇ  ｃｅｌｌ）が相互に異なったＵＬ−ＤＬ構成を有する場合に、ＵＣＩ情報は、各セルが独立したｎｏｎ−ＣＡ環境でＵＣＩ情報を集める方法に従う。
【０３６２】
すなわち、各セルのＵＣＩ情報は、各セルのＵＬ−ＤＬ構成に従ってＤＡＳＩ（Ｄｏｗｎｌｉｎｋ  ａｓｓｏｃｉａｔｉｏｎ  ｓｅｔ  ｉｎｄｅｘ）Ｋを用いて集める。その後、各セルで集められたＵＣＩ情報は、特定セル（図４２ではＰＣｅｌｌ）のＰＵＣＣＨリソースを用いて伝送されるとよい。
【０３６３】
上記発明の適用において、その伝送フォーマットは制約されない。ＰＵＣＣＨフォーマット１ｂチャネル選択（ＰＵＣＣＨ  Ｆｏｒｍａｔ  １ｂ  ｗｉｔｈ  ｃｈａｎｎｅｌ  ｓｅｌｅｃｔｉｏｎ）或いはＰＵＣＣＨフォーマット３（ＰＵＣＣＨ  Ｆｏｒｍａｔ  ３）などのフォーマットが使用されるとよい。また、空間バンドリング（ｓｐａｔｉａｌ  ｂｕｎｄｌｉｎｇ）、時間ドメインバンドリング（ｔｉｍｅ−ｄｏｍａｉｎ  ｂｕｎｄｌｉｎｇ）、ＣＣドメインバンドリング（ＣＣ−ｄｏｍａｉｎ  ｂｕｎｄｌｉｎｇ）、或いは多重化（ｍｕｌｔｉｐｌｅｘｉｎｇ）などの、上記バンドリングウィンドウ内の複数のＡＣＫ／ＮＡＣＫを処理して伝送する手法は本発明で制約されない。
【０３６４】
図４２で、４ビット超過のペイロードに対してＰＵＣＣＨフォーマット１ｂチャネル選択が使用される場合に、２番目のフレームの最初のＵＬサブフレームでセル＃１のＭ＝３（７、６又は１１）であり、セル＃１のＭ＝４（１２、８、７又は１１）になる。
【０３６５】
既存Ｒｅｌ−１０チャネル選択マッピングテーブル（ｃｈａｎｎｅｌ  ｓｅｌｅｃｔｉｏｎ  ｍａｐｐｉｎｇ  ｔａｂｌｅ）は、固定した同一のサイズのＭ値を有するセルに対するテーブルを示している。
【０３６６】
したがって、上記のようなＭ値が相互に異なるセルのためのチャネル選択マッピングテーブルを追加的に定義して使用すればよい。
【０３６７】
また、上記のように、相互に異なったＭ値のうち、最も大きい値を選択し、Ｍ値が小さいため情報が足りない箇所には、あらかじめ定められた値を代入し、既存チャネル選択マッピングテーブルを用いればよい。
【０３６８】
例えば、Ｍ＝３を有するセル＃１のあらかじめ定められた位置（例えば、最後の位置）は、常に「ＤＴＸ」又は「ＮＡＣＫ」を代入し、Ｍ＝４と見なし、Ｍ＝４を有するセル＃１との組み合わせで既存チャネル選択マッピングテーブルを用いてマッピングした後、伝送すればよい。
【０３６９】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含まれることもでき、別の実施例の対応する構成又は特徴に取って代わることもできる。特許請求の範囲において明示的な引用関係にない請求項を結合して実施例を構成したり、出願後の補正により新しい請求項として含めたりすることができることは明らかである。
【０３７０】
本文書で、本発明の実施例は、端末と基地局間のデータ送受信関係を中心に説明されている。このような送受信関係は、端末とリレー間、又は基地局とリレー間の信号送受信にも同一／類似に拡張される。本文書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局又は基地局以外の別のネットワークノードにより実行できることは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０３７１】
本発明による実施例は様々な手段、例えば、ハードウェア、ファームウェア（ｆｉｒｍｗａｒｅ）、ソフトウェア又はそれらの結合などにより実現することができる。ハードウェアによる実現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実現することができる。
【０３７２】
ファームウェアやソフトウェアによる実現の場合、本発明の一実施例は、以上で説明された機能又は動作を行うモジュール、手順、関数などの形態で実現することができる。ソフトウェアコードは、メモリユニットに記憶されて、プロセッサにより駆動されるようにすることができる。メモリユニットは、プロセッサの内部又は外部に設けられ、既に公知の様々な手段によりプロセッサとデータを交換することができる。
【０３７３】
以上開示された本発明の好ましい実施例についての詳細な説明は、当該技術の分野における通常の技術者が本発明を実現して実施できるように提供された。以上では本発明の好適な実施例を参照して説明したが、当該技術の分野における熟練した当該技術の分野における通常の技術者には、本発明の領域から逸脱しない範囲内で本発明を様々に修正及び変更できるということが理解されるであろう。したがって、本発明は、ここに開示されている実施形態に制限されるものではなく、ここに開示されている原理及び新規な特徴と一致する最も広い範囲を与えるためのものである。
【産業上の利用可能性】
【０３７４】
上記のような無線通信システムにおいて制御情報を送信する方法及びそのための装置は、３ＧＰＰ  ＬＴＥシステムに適用される例を中心に説明したが、３ＧＰＰ  ＬＴＥシステムの他、様々な無線通信システムにも適用可能である。
【図１】
0005895008.tif 000049
【図２】
0005895008.tif 000050
【図３】
0005895008.tif 000051
【図４】
0005895008.tif 000052
【図５】
0005895008.tif 000053
【図６】
0005895008.tif 000054
【図７】
0005895008.tif 000055
【図８】
0005895008.tif 000056
【図９】
0005895008.tif 000057
【図１０】
0005895008.tif 000058
【図１１】
0005895008.tif 000059
【図１２】
0005895008.tif 000060
【図１３】
0005895008.tif 000061
【図１４】
0005895008.tif 000062
【図１５】
0005895008.tif 000063
【図１６】
0005895008.tif 000064
【図１７】
0005895008.tif 000065
【図１８】
0005895008.tif 000066
【図１９】
0005895008.tif 000067
【図２０】
0005895008.tif 000068
【図２１】
0005895008.tif 000069
【図２２】
0005895008.tif 000070
【図２３】
0005895008.tif 000071
【図２４】
0005895008.tif 000072
【図２５】
0005895008.tif 000073
【図２６】
0005895008.tif 000074
【図２７】
0005895008.tif 000075
【図２８】
0005895008.tif 000076
【図２９】
0005895008.tif 000077
【図３０】
0005895008.tif 000078
【図３１】
0005895008.tif 000079
【図３２】
0005895008.tif 000080
【図３３】
0005895008.tif 000081
【図３４】
0005895008.tif 000082
【図３５】
0005895008.tif 000083
【図３６】
0005895008.tif 000084
【図３７】
0005895008.tif 000085
【図３８】
0005895008.tif 000086
【図３９】
0005895008.tif 000087
【図４０】
0005895008.tif 000088
【図４１】
0005895008.tif 000089
【図４２】
0005895008.tif 000090